(57)【要約】  接続確立における不要なアクションを回避するための方法が、接続確立を始動するためにネットワークノードに要求を送出することと、ネットワークノードに要求を送出したとき、接続確立のためのタイマーを開始することであって、タイマーの満了がユーザ機器（ＵＥ）のための接続確立を停止する、タイマーを開始することと、ＵＥが中断メッセージまたは解放メッセージを受信したとき、あるいはタイマーが稼働している間にＵＥがセル再選択プロシージャを実施したとき、接続確立を停止するためにタイマーを停止することとを含む。タイマーは、ＵＥが、接続確立においてエラーまたは不良な送信がある場合に接続確立が完了されるのを待つのを防ぎ得る。さらに、接続確立を停止することになるタイマーは、不要なアクションを回避し、タイマーがいつ満了して接続確立を停止するかをネットワーク中の他のレイヤに知らせ得る。【選択図】図１５
2021519526.tif 000002
【特許請求の範囲】
【請求項１】
ユーザ機器（ＵＥ）における接続確立のための方法（１５００）であって、前記方法は、
接続確立を始動するためにネットワークノードに要求を送出すること（１５１０）と、
前記接続確立のためのタイマーを開始することであって、前記タイマーの満了がＵＥのための前記接続確立を停止する、タイマーを開始すること（１５２０）と、
前記ＵＥが中断メッセージを受信したとき、
前記ＵＥが解放メッセージを受信したとき、および
前記タイマーが稼働している間に前記ＵＥがセル再選択プロシージャを実施したとき
のうちの１つのとき、前記タイマーを停止すること（１５３０）と
を含む、方法（１５００）。
【請求項２】
前記接続確立が再開プロシージャであり、前記要求が再開要求である、請求項１に記載の方法（１５００）。
【請求項３】
前記ＵＥが前記解放メッセージを受信して、前記タイマーを停止したことに応答して、第１の時間期間の間、前記ＵＥが前記解放メッセージを受信した後に実行することになるアクションを遅延させることをさらに含む、請求項１または２に記載の方法（１５００）。
【請求項４】
前記解放メッセージがモビリティ制御情報を含むとき、前記ＵＥにおいてセル情報を記憶することをさらに含む、請求項１または２に記載の方法（１５００）。
【請求項５】
前記解放メッセージがモビリティ制御情報を含まないとき、システム情報においてセル情報を適用することをさらに含む、請求項１または２に記載の方法（１５００）。
【請求項６】
前記第１の時間期間が６０ｍｓである、請求項３に記載の方法（１５００）。
【請求項７】
前記ＵＥが前記中断メッセージを受信して、前記タイマーを停止したことに応答して、
第２の時間期間の間、前記ＵＥが前記中断メッセージを受信した後に実行することになるアクションを遅延させることと、
接続確立の中断を上位レイヤに指示することと、
完全性保護を中断するように下位レイヤを設定することと
をさらに含む、請求項１または２に記載の方法（１５００）。
【請求項８】
前記第２の時間期間が６０ｍｓである、請求項７に記載の方法（１５００）。
【請求項９】
前記タイマーが稼働している間に前記ＵＥが前記セル再選択プロシージャを実施して、前記タイマーを停止したことに応答して、媒体アクセス制御（ＭＡＣ）をリセットすることと、ＭＡＣ設定を解放することと、前記接続確立の失敗を上位レイヤに知らせることとをさらに含む、請求項１または２に記載の方法（１５００）。
【請求項１０】
接続確立のためのユーザ機器（７００）であって、
処理回路要素（７０１）と、
命令を記憶するストレージ（７１５）と
を備え、前記命令は、前記処理回路要素（７０１）によって実行されたとき、ユーザ機器（７００）に、
前記接続確立を始動するためにネットワークノード（６６０）に要求を送出すること（１５１０）と、
前記接続確立のためのタイマーを開始することであって、前記タイマーの満了が前記接続確立を停止する、タイマーを開始すること（１５２０）と、
中断メッセージを受信したとき、
解放メッセージを受信したとき、および
前記タイマーが稼働している間にセル再選択プロシージャを実施したとき
のうちの１つのとき、前記タイマーを停止すること（１５３０）と
を行わせる、ユーザ機器（７００）。
【請求項１１】
前記接続確立が再開プロシージャであり、前記要求が再開要求である、請求項１０に記載のユーザ機器（７００）。
【請求項１２】
前記解放メッセージを受信して、前記タイマーを停止したことに応答して、前記命令は、前記ユーザ機器（７００）に、第１の時間期間の間、前記ＵＥが前記解放メッセージを受信した後に実行することになるアクションを遅延させることをさらに行わせる、請求項１０または１１に記載のユーザ機器（７００）。
【請求項１３】
前記命令は、前記ユーザ機器（７００）に、前記解放メッセージがモビリティ制御情報を含むとき、セル情報を記憶することをさらに行わせる、請求項１０または１１に記載のユーザ機器（７００）。
【請求項１４】
前記命令は、前記ユーザ機器（７００）に、前記解放メッセージがモビリティ制御情報を含まないとき、システム情報においてセル情報を適用することをさらに行わせる、請求項１０または１１に記載のユーザ機器（７００）。
【請求項１５】
前記第１の時間期間が６０ｍｓである、請求項１２に記載のユーザ機器（７００）。
【請求項１６】
前記中断メッセージを受信して、前記タイマーを停止したことに応答して、前記命令は、前記ユーザ機器（７００）に、
第２の時間期間の間、前記ＵＥが前記中断メッセージを受信した後に実行することになるアクションを遅延させることと、
接続確立の中断を上位レイヤに指示することと、
完全性保護を中断するように下位レイヤを設定することと
をさらに行わせる、請求項１０または１１に記載のユーザ機器（７００）。
【請求項１７】
前記第２の時間期間が６０ｍｓである、請求項１６に記載のユーザ機器（７００）。
【請求項１８】
前記タイマーが稼働している間に前記セル再選択プロシージャを実施して、前記タイマーを停止したことに応答して、前記命令は、前記ユーザ機器（７００）に、媒体アクセス制御（ＭＡＣ）をリセットすることと、ＭＡＣ設定を解放することと、前記接続確立の失敗を上位レイヤに知らせることとを行わせる、請求項１０または１１に記載のユーザ機器（７００）。
【請求項１９】
接続確立のためのユーザ機器（１６００）であって、
接続確立を始動するためにネットワークノード（６６０）に要求を送出すること（１５１０）を行うように設定された送出ユニット（１６１０）と、
前記接続確立のためのタイマーを開始することであって、前記タイマーの満了が前記接続確立を停止する、タイマーを開始すること（１５２０）を行うように設定された開始ユニット（１６２０）と、
中断メッセージを受信したとき、
解放メッセージを受信したとき、および
前記タイマーが稼働している間にセル再選択プロシージャを実施したとき
のうちの１つのとき、前記タイマーを停止すること（１５３０）を行うように設定された停止ユニット（１６３０）と
を備える、ユーザ機器（１６００）。
【発明の詳細な説明】
【技術分野】
【０００１】
特定の実施形態は、ユーザ機器のための不要なアクションを回避することの分野に関し、より詳細には、５Ｇ世代無線機における再開プロシージャにおけるユーザ機器のための不要なアクションを回避するための方法、および装置に関する。
【背景技術】
【０００２】
ＬＴＥにおける無線リソース制御（ＲＲＣ）接続再開プロシージャは、中断機構がプロシージャを適切に停止することを必要とする。ＬＴＥ  Ｒｅｌ−１３では、ＲＲＣ＿ＩＤＬＥと同様の中断状態（ｓｕｓｐｅｎｄｅｄ  ｓｔａｔｅ）でユーザ機器（ＵＥ）がネットワークによって中断されるための機構が導入されたが、ＵＥがアクセス層（ＡＳ）コンテキストまたはＲＲＣコンテキストを記憶するという差異がある。これは、以前に行われていたように、ゼロからＲＲＣ接続を確立しなければならない代わりに、ＲＲＣ接続を再開することによって、ＵＥが再びアクティブになりつつあるとき、シグナリングを低減することを可能にする。シグナリングを低減することは、たとえばインターネットにアクセスするスマートフォンについての、レイテンシの低減など、いくつかの利益を有し得、シグナリングの低減は、ごくわずかなデータを送出するマシン型デバイスについてのバッテリー消費量の低減につながる。
【０００３】
Ｒｅｌ−１３ソリューションは、ＵＥがネットワークにＲＲＣＣｏｎｎｅｃｔｉｏｎＲｅｓｕｍｅＲｅｑｕｅｓｔメッセージを送出し、応答して、ネットワークからＲＲＣＣｏｎｎｅｃｔｉｏｎＲｅｓｕｍｅを受信することに基づく。ＲＲＣＣｏｎｎｅｃｔｉｏｎＲｅｓｕｍｅは、暗号化されないが、完全性保護される。
【０００４】
ＬＴＥ  Ｒｅｌ−１３では、および、３ＧＰＰにおける５Ｇ  ＮＲに関する規格化された作業の一部としての、ＮＲにおけるＲＲＣ＿ＩＮＡＣＴＩＶＥでは、ＮＲが、ＬＴＥ  Ｒｅｌ−１３における中断状態と同様の特性をもつＲＲＣ＿ＩＮＡＣＴＩＶＥ状態をサポートするべきであることが決められた。ＲＲＣ＿ＩＮＡＣＴＩＶＥは、別個のＲＲＣ状態であり、ＬＴＥの場合のようにＲＲＣ＿ＩＤＬＥの一部でないという点で、後の状態とはわずかに異なる特性を有する。加えて、次世代（ＮＧ）またはＮ２インターフェースを使用するコアネットワーク（ＣＮ）／無線アクセスネットワーク（ＲＡＮ）接続は、ＬＴＥでは中断されるが、ＲＲＣ＿ＩＮＡＣＴＩＶＥについては保たれる。
【０００５】
図１は、ＮＲにおける例示的な状態遷移を示す。ＲＲＣ＿ＩＤＬＥの特性は、上位レイヤによって設定されたＵＥ固有間欠受信（ＤＲＸ）、ネットワーク設定に基づくＵＥ制御されたモビリティ、ＵＥが、５Ｇ−Ｓ−ＴＭＳＩ、たとえば５Ｇシステムアーキテクチャエボリューション（ＳＡＥ）−一時モバイルサブスクライバ識別情報を使用してＣＮページングについてページングチャネルを監視すること、ＵＥが、ネイバリングセル測定、セル選択、およびセル再選択を実施すること、ならびにＵＥがシステム情報を収集することを備える。ＲＲＣ＿ＩＮＡＣＴＩＶＥの特性は、上位レイヤまたはＲＲＣレイヤによって設定されたＵＥ固有ＤＲＸ、ネットワーク設定に基づくＵＥ制御されたモビリティ、ＵＥがＡＳコンテキストを記憶すること、ＵＥが、５Ｇ−Ｓ−ＴＭＳＩを使用してＣＮページングについて、およびＩ−ＲＮＴＩ、たとえば非アクティブ無線ネットワーク一時識別子を使用してＲＡＮページングについて、ページングチャネルを監視すること、ネイバリングセル測定、セル選択およびセル再選択を実施すること、ＲＡＮベース通知エリア外に移動するときに周期的にＲＡＮベース通知エリア更新を実施すること、ならびにシステム情報を収集することを備える。ＲＲＣ＿ＣＯＮＮＥＣＴＥＤの特性は、ＵＥがＡＳコンテキストを記憶すること、ＵＥへ／からユニキャストデータを転送すること、下位レイヤにおいてＵＥ固有ＤＲＸで設定されたＵＥ、帯域幅の増加のために、２次１次セル（ＳｐＣｅｌｌ）とともにアグリゲートされたキャリアアグリゲーションをサポートするＵＥのための１つまたは複数の２次セル（ＳＣｅｌｌ）を使用すること、帯域幅の増加のために、マスタセルグループ（ＭＣＧ）とともにアグリゲートされたデュアルコネクティビティ（ＤＣ）をサポートするＵＥのための２次セルグループ（ＳＣＧ）を使用すること、ネットワーク制御されたモビリティ、すなわちＮＲ内のおよびＥ−ＵＴＲＡＮへの／からのハンドオーバを備える。さらに、ＲＲＣ＿ＣＯＮＮＥＣＴＥＤの特性は、ＵＥがページングチャネルを監視すること、共有データチャネルに関連する制御チャネルを監視して、データがそれについてスケジュールされたかどうかを決定すること、チャネル品質とフィードバック情報とを提供すること、ネイバリングセル測定および測定報告を実施すること、ならびにシステム情報を収集することを備える。
【０００６】
ＬＴＥでは、現在の機構は、ＵＥが暗号化の開始より前にネットワークからのメッセージを検証することである。今日、ＬＴＥでは、ＲＲＣシグナリングの暗号化を開始または再開するために使用される、ネットワークからＵＥに送出されるいくつかのメッセージがある。これらのメッセージは、完全性保護されるが、暗号化されない。以下は、ＵＥがＲＲＣレベルでこれらのメッセージの完全性をどのように検証するかを示す、３ＧＰＰ  ＬＴＥ  ＲＲＣ仕様ＴＳ３６．３３１  ｖ１５．０．０からのいくつかの抜粋である。それらの事例のすべてからわかるように、ＵＥ  ＲＲＣは、メッセージの受信時に、下位レイヤ、たとえばパケットデータコンバージェンスプロトコル（ＰＤＣＰ）に、メッセージの完全性を検証するように依頼する。メッセージが検証された場合、ＵＥ  ＲＲＣレイヤは、すべての後続のメッセージのサイファ化（ｃｉｐｈｅｒｉｎｇ）および完全性保護を適用するように下位レイヤを設定する。
【０００７】
図２および図３は、不良なダウンリンク／アップリンク無線条件による、例示的な再開プロシージャ失敗を示す。ＬＴＥにおけるＴ３００失敗ハンドリングに関して、ＵＥが確立または再開プロシージャを実施しているときに開始される失敗タイマー（Ｔ３００）がある。失敗タイマーの目的は、ＵＥがネットワークから有効な応答を得ない場合にプロシージャを停止することである。たとえば、ＵＥが有効な応答を得ないことは、応答メッセージを受信する際のダウンリンク問題により、さらにはアップリンク問題により、発生していることがある。これは、ＵＥが、決して来ないネットワークからのメッセージを待って身動きがとれなくなるのを防ぐ。タイマー（Ｔ３００）は、次いで、ＵＥが有効なメッセージを受信したとき、またはそれがタイムアウトしたときのいずれかにおいて、停止される。後者の場合、ＵＥは、いくつかのアクションを実施し、上位レイヤに知らせる。
【０００８】
３ＧＰＰ  ＴＳ３６．３３１からの以下の抜粋は、追加のコンテキストを提供する。ＵＥは、ＵＥがＲＲＣ＿ＩＤＬＥにある間に上位レイヤがＲＲＣ接続の確立または再開を要求したとき、プロシージャを始動する。ＮＢ−ＩｏＴを除いて、プロシージャが始動すると、ＵＥは、以下を行うものとする。
１＞  ＳｙｓｔｅｍＩｎｆｏｒｍａｔｉｏｎＢｌｏｃｋＴｙｐｅ２がａｃ−ＢａｒｒｉｎｇＰｅｒＰＬＭＮ−Ｌｉｓｔを含み、ａｃ−ＢａｒｒｉｎｇＰｅｒＰＬＭＮ−Ｌｉｓｔが、上位レイヤによって選択されたＰＬＭＮに対応するｐｌｍｎ−ＩｄｅｎｔｉｔｙＩｎｄｅｘをもつＡＣ−ＢａｒｒｉｎｇＰｅｒＰＬＭＮエントリを含んでいる（ＴＳ２３．１２２［１１］、ＴＳ２４．３０１［３５］参照）場合、
２＞  上位レイヤによって選択されたＰＬＭＮに対応するｐｌｍｎ−ＩｄｅｎｔｉｔｙＩｎｄｅｘをもつＡＣ−ＢａｒｒｉｎｇＰｅｒＰＬＭＮエントリを選択する。
２＞  このプロシージャの残りにおいて、ＳｙｓｔｅｍＩｎｆｏｒｍａｔｉｏｎＢｌｏｃｋＴｙｐｅ２中に含まれる共通アクセス規制パラメータにかかわらず、選択されたＡＣ−ＢａｒｒｉｎｇＰｅｒＰＬＭＮエントリを使用する（すなわち、このエントリ中のアクセス規制パラメータの存在または不在）。
１＞  他の場合、
２＞  このプロシージャの残りにおいて、ＳｙｓｔｅｍＩｎｆｏｒｍａｔｉｏｎＢｌｏｃｋＴｙｐｅ２中に含まれる共通アクセス規制パラメータを使用する（すなわち、これらのパラメータの存在または不在）。
１＞  ＳｙｓｔｅｍＩｎｆｏｒｍａｔｉｏｎＢｌｏｃｋＴｙｐｅ２がａｃｄｃ−ＢａｒｒｉｎｇＰｅｒＰＬＭＮ−Ｌｉｓｔを含んでおり、ａｃｄｃ−ＢａｒｒｉｎｇＰｅｒＰＬＭＮ−Ｌｉｓｔが、上位レイヤによって選択されたＰＬＭＮに対応するｐｌｍｎ−ＩｄｅｎｔｉｔｙＩｎｄｅｘをもつＡＣＤＣ−ＢａｒｒｉｎｇＰｅｒＰＬＭＮエントリを含んでいる（ＴＳ２３．１２２［１１］、ＴＳ２４．３０１［３５］参照）場合、
２＞  上位レイヤによって選択されたＰＬＭＮに対応するｐｌｍｎ−ＩｄｅｎｔｉｔｙＩｎｄｅｘをもつＡＣＤＣ−ＢａｒｒｉｎｇＰｅｒＰＬＭＮエントリを選択する。
２＞  このプロシージャの残りにおいて、ＳｙｓｔｅｍＩｎｆｏｒｍａｔｉｏｎＢｌｏｃｋＴｙｐｅ２中に含まれるａｃｄｃ−ＢａｒｒｉｎｇＦｏｒＣｏｍｍｏｎパラメータにかかわらず、ＡＣＤＣ規制チェックのために、選択されたＡＣＤＣ−ＢａｒｒｉｎｇＰｅｒＰＬＭＮエントリを使用する（すなわち、このエントリ中のアクセス規制パラメータの存在または不在）。
１＞  他の場合、
２＞  このプロシージャの残りにおいて、ＡＣＤＣ規制チェックのために、ＳｙｓｔｅｍＩｎｆｏｒｍａｔｉｏｎＢｌｏｃｋＴｙｐｅ２中に含まれるａｃｄｃ−ＢａｒｒｉｎｇＦｏｒＣｏｍｍｏｎを使用する（すなわち、これらのパラメータの存在または不在）。
１＞  上位レイヤが、ＲＲＣ接続がＥＡＢを受けることを指示する（ＴＳ２４．３０１［３５］参照）場合、
２＞  ５．３．３．１２において指定されているような、ＥＡＢチェックの結果が、セルへのアクセスが規制されていることである場合、
３＞  中断指示を伴って、ＲＲＣ接続を確立することに失敗したことまたはＲＲＣ接続を再開することに失敗したことについて、およびＥＡＢが適用可能であることを、上位レイヤに知らせ、そのとき、プロシージャは終了する。
１＞  上位レイヤが、ＲＲＣ接続がＡＣＤＣを受けることを指示し（ＴＳ２４．３０１［３５］参照）、ＳｙｓｔｅｍＩｎｆｏｒｍａｔｉｏｎＢｌｏｃｋＴｙｐｅ２がＢａｒｒｉｎｇＰｅｒＡＣＤＣ−ＣａｔｅｇｏｒｙＬｉｓｔを含んでおり、ａｃｄｃ−ＨＰＬＭＮｏｎｌｙが、ＡＣＤＣがＵＥのために適用可能であることを指示する場合、
２＞  ＢａｒｒｉｎｇＰｅｒＡＣＤＣ−ＣａｔｅｇｏｒｙＬｉｓｔが、上位レイヤによって選択されたＡＣＤＣカテゴリーに対応するＢａｒｒｉｎｇＰｅｒＡＣＤＣ−Ｃａｔｅｇｏｒｙエントリを含んでいる場合、
３＞  上位レイヤによって選択されたＡＣＤＣカテゴリーに対応するＢａｒｒｉｎｇＰｅｒＡＣＤＣ−Ｃａｔｅｇｏｒｙエントリを選択する。
２＞  他の場合、
３＞  ＢａｒｒｉｎｇＰｅｒＡＣＤＣ−ＣａｔｅｇｏｒｙＬｉｓｔ中の最後のＢａｒｒｉｎｇＰｅｒＡＣＤＣ−Ｃａｔｅｇｏｒｙエントリを選択する。
２＞  稼働している場合、タイマーＴ３０８を停止する。
２＞  「Ｔｂａｒｒｉｎｇ」としてのＴ３０８および「ＡＣＤＣ規制パラメータ」としてのＢａｒｒｉｎｇＰｅｒＡＣＤＣ−Ｃａｔｅｇｏｒｙ中のａｃｄｃ−ＢａｒｒｉｎｇＣｏｎｆｉｇを使用して、５．３．３．１３において指定されているようなアクセス規制チェックを実施する。
２＞  セルへのアクセスが規制されている場合、
３＞  中断指示を伴って、ＲＲＣ接続を確立することに失敗したことまたはＲＲＣ接続を再開することに失敗したことについて、およびアクセス規制がＡＣＤＣにより適用可能であることを、上位レイヤに知らせ、そのとき、プロシージャは終了する。
１＞  そうではなく、ＵＥがモバイル着信呼のためのＲＲＣ接続を確立している場合、
２＞  タイマーＴ３０２が稼働している場合、
３＞  中断指示を伴って、ＲＲＣ接続を確立することに失敗したことまたはＲＲＣ接続を再開することに失敗したことについて、およびモバイル着信呼のためのアクセス規制が適用可能であることを、上位レイヤに知らせ、そのとき、プロシージャは終了する。
１＞  そうではなく、ＵＥが緊急呼のためのＲＲＣ接続を確立している場合、
２＞  ＳｙｓｔｅｍＩｎｆｏｒｍａｔｉｏｎＢｌｏｃｋＴｙｐｅ２がａｃ−ＢａｒｒｉｎｇＩｎｆｏを含む場合、
３＞  ａｃ−ＢａｒｒｉｎｇＦｏｒＥｍｅｒｇｅｎｃｙが真にセットされた場合、
４＞  ＵＥが、ＴＳ２２．０１１［１０］およびＴＳ２３．１２２［１１］に従って、ＵＥが使用するために有効である範囲１１．．１５内の値をもつ、ＵＳＩＭに記憶された１つまたは複数のアクセスクラスを有する場合、
注１：  ＡＣ１２、１３、１４はホーム国における使用のためにのみ有効であり、ＡＣ１１、１５はＨＰＬＭＮ／ＥＨＰＬＭＮにおける使用のためにのみ有効である。
５＞  ａｃ−ＢａｒｒｉｎｇＩｎｆｏがａｃ−ＢａｒｒｉｎｇＦｏｒＭＯ−Ｄａｔａを含み、ＵＥのためのこれらの有効なアクセスクラスのすべてについて、ａｃ−ＢａｒｒｉｎｇＦｏｒＭＯ−Ｄａｔａ中に含まれているａｃ−ＢａｒｒｉｎｇＦｏｒＳｐｅｃｉａｌＡＣ中の対応するビットが１にセットされた場合、
６＞  セルへのアクセスを、規制されていると見なす。
４＞  他の場合、
５＞  セルへのアクセスを、規制されていると見なす。
２＞  セルへのアクセスが規制されている場合、
３＞  中断指示を伴って、ＲＲＣ接続を確立することに失敗したことまたはＲＲＣ接続を再開することに失敗したことについて上位レイヤに知らせ、そのとき、プロシージャは終了する。
１＞  そうではなく、ＵＥがモバイル発信呼のためのＲＲＣ接続を確立している場合、
２＞  「Ｔｂａｒｒｉｎｇ」としてのＴ３０３および「ＡＣ規制パラメータ」としてのａｃ−ＢａｒｒｉｎｇＦｏｒＭＯ−Ｄａｔａを使用して、５．３．３．１１において指定されているようなアクセス規制チェックを実施する。
２＞  セルへのアクセスが規制されている場合、
３＞  ＳｙｓｔｅｍＩｎｆｏｒｍａｔｉｏｎＢｌｏｃｋＴｙｐｅ２がａｃ−ＢａｒｒｉｎｇＦｏｒＣＳＦＢを含むか、またはＵＥがＣＳフォールバックをサポートしない場合、
４＞  中断指示を伴って、ＲＲＣ接続を確立することに失敗したことまたはＲＲＣ接続を再開することに失敗したことについて、およびモバイル発信呼のためのアクセス規制が適用可能であることを、上位レイヤに知らせ、そのとき、プロシージャは終了する。
３＞  他の場合（ＳｙｓｔｅｍＩｎｆｏｒｍａｔｉｏｎＢｌｏｃｋＴｙｐｅ２がａｃ−ＢａｒｒｉｎｇＦｏｒＣＳＦＢを含まず、ＵＥがＣＳフォールバックをサポートする）、
４＞  タイマーＴ３０６が稼働していない場合、Ｔ３０３のタイマー値でＴ３０６を開始する。
４＞  中断指示を伴って、ＲＲＣ接続を確立することに失敗したことまたはＲＲＣ接続を再開することに失敗したことについて、ならびにモバイル発信呼およびモバイル発信ＣＳフォールバックのためのアクセス規制が適用可能であることを、上位レイヤに知らせ、そのとき、プロシージャは終了する。
１＞  そうではなく、ＵＥがモバイル発信シグナリングのためのＲＲＣ接続を確立している場合、
２＞  「Ｔｂａｒｒｉｎｇ」としてのＴ３０５および「ＡＣ規制パラメータ」としてのａｃ−ＢａｒｒｉｎｇＦｏｒＭＯ−Ｓｉｇｎａｌｌｉｎｇを使用して、５．３．３．１１において指定されているようなアクセス規制チェックを実施する。
２＞  セルへのアクセスが規制されている場合、
３＞  中断指示を伴って、ＲＲＣ接続を確立することに失敗したことまたはＲＲＣ接続を再開することに失敗したことについて、およびモバイル発信シグナリングのためのアクセス規制が適用可能であることを、上位レイヤに知らせ、そのとき、プロシージャは終了する。
１＞  そうではなく、ＵＥがモバイル発信ＣＳフォールバックのためのＲＲＣ接続を確立している場合、
２＞  ＳｙｓｔｅｍＩｎｆｏｒｍａｔｉｏｎＢｌｏｃｋＴｙｐｅ２がａｃ−ＢａｒｒｉｎｇＦｏｒＣＳＦＢを含む場合、
３＞  「Ｔｂａｒｒｉｎｇ」としてのＴ３０６および「ＡＣ規制パラメータ」としてのａｃ−ＢａｒｒｉｎｇＦｏｒＣＳＦＢを使用して、５．３．３．１１において指定されているようなアクセス規制チェックを実施する。
３＞  セルへのアクセスが規制されている場合、
４＞  中断指示を伴って、ＲＲＣ接続を確立することに失敗したことまたはＲＲＣ接続を再開することに失敗したことについて、およびモバイル発信ＣＳフォールバックのためのアクセス規制が、ａｃ−ＢａｒｒｉｎｇＦｏｒＣＳＦＢにより、適用可能であることを、上位レイヤに知らせ、そのとき、プロシージャは終了する。
２＞  他の場合、
３＞  「Ｔｂａｒｒｉｎｇ」としてのＴ３０６および「ＡＣ規制パラメータ」としてのａｃ−ＢａｒｒｉｎｇＦｏｒＭＯ−Ｄａｔａを使用して、５．３．３．１１において指定されているようなアクセス規制チェックを実施する。
３＞  セルへのアクセスが規制されている場合、
４＞  タイマーＴ３０３が稼働していない場合、Ｔ３０６のタイマー値でＴ３０３を開始する。
４＞  中断指示を伴って、ＲＲＣ接続を確立することに失敗したことまたはＲＲＣ接続を再開することに失敗したことについて、ならびにモバイル発信ＣＳフォールバックおよびモバイル発信呼のためのアクセス規制が、ａｃ−ＢａｒｒｉｎｇＦｏｒＭＯ−Ｄａｔａにより、適用可能であることを、上位レイヤに知らせ、そのとき、プロシージャは終了する。
１＞  そうではなく、ＵＥが、モバイル発信ＭＭＴＥＬボイス、モバイル発信ＭＭＴＥＬビデオ、モバイル発信ＳＭＳｏＩＰまたはモバイル発信ＳＭＳのためのＲＲＣ接続を確立している場合、
２＞  ＵＥがモバイル発信ＭＭＴＥＬボイスのためのＲＲＣ接続を確立しており、ＳｙｓｔｅｍＩｎｆｏｒｍａｔｉｏｎＢｌｏｃｋＴｙｐｅ２がａｃ−ＢａｒｒｉｎｇＳｋｉｐＦｏｒＭＭＴＥＬＶｏｉｃｅを含む場合、あるいは
２＞  ＵＥがモバイル発信ＭＭＴＥＬビデオのためのＲＲＣ接続を確立しており、ＳｙｓｔｅｍＩｎｆｏｒｍａｔｉｏｎＢｌｏｃｋＴｙｐｅ２がａｃ−ＢａｒｒｉｎｇＳｋｉｐＦｏｒＭＭＴＥＬＶｉｄｅｏを含む場合、あるいは
２＞  ＵＥがモバイル発信ＳＭＳｏＩＰまたはＳＭＳのためのＲＲＣ接続を確立しており、ＳｙｓｔｅｍＩｎｆｏｒｍａｔｉｏｎＢｌｏｃｋＴｙｐｅ２がａｃ−ＢａｒｒｉｎｇＳｋｉｐＦｏｒＳＭＳを含む場合、
３＞  セルへのアクセスを、規制されていないと見なす。
２＞  他の場合、
３＞  より高いレイヤから受信されたｅｓｔａｂｌｉｓｈｍｅｎｔＣａｕｓｅがｍｏ−Ｓｉｇｎａｌｌｉｎｇにセットされた場合（ｍｏ−Ｓｉｇｎａｌｌｉｎｇが３ＧＰＰ  ＴＳ２４．３０１［３５］に従ってｈｉｇｈＰｒｉｏｒｉｔｙＡｃｃｅｓｓによって、またはサブクローズ５．３．３．３に従ってｍｏ−ＶｏｉｃｅＣａｌｌによって置き換えられる場合を含む）、
４＞  「Ｔｂａｒｒｉｎｇ」としてのＴ３０５および「ＡＣ規制パラメータ」としてのａｃ−ＢａｒｒｉｎｇＦｏｒＭＯ−Ｓｉｇｎａｌｌｉｎｇを使用して、５．３．３．１１において指定されているようなアクセス規制チェックを実施する。
４＞  セルへのアクセスが規制されている場合、
５＞  中断指示を伴って、ＲＲＣ接続を確立することに失敗したことまたはＲＲＣ接続を再開することに失敗したことについて、およびモバイル発信シグナリングのためのアクセス規制が適用可能であることを、上位レイヤに知らせ、そのとき、プロシージャは終了する。
３＞  より高いレイヤから受信されたｅｓｔａｂｌｉｓｈｍｅｎｔＣａｕｓｅがｍｏ−Ｄａｔａにセットされた場合（ｍｏ−Ｄａｔａが３ＧＰＰ  ＴＳ２４．３０１［３５］に従ってｈｉｇｈＰｒｉｏｒｉｔｙＡｃｃｅｓｓによって、またはサブクローズ５．３．３．３に従ってｍｏ−ＶｏｉｃｅＣａｌｌによって置き換えられる場合を含む）、
４＞  「Ｔｂａｒｒｉｎｇ」としてのＴ３０３および「ＡＣ規制パラメータ」としてのａｃ−ＢａｒｒｉｎｇＦｏｒＭＯ−Ｄａｔａを使用して、５．３．３．１１において指定されているようなアクセス規制チェックを実施する。
４＞  セルへのアクセスが規制されている場合、
５＞  ＳｙｓｔｅｍＩｎｆｏｒｍａｔｉｏｎＢｌｏｃｋＴｙｐｅ２がａｃ−ＢａｒｒｉｎｇＦｏｒＣＳＦＢを含むか、またはＵＥがＣＳフォールバックをサポートしない場合、
６＞  中断指示を伴って、ＲＲＣ接続を確立することに失敗したことまたはＲＲＣ接続を再開することに失敗したことについて、およびモバイル発信呼のためのアクセス規制が適用可能であることを、上位レイヤに知らせ、そのとき、プロシージャは終了する。
５＞  他の場合（ＳｙｓｔｅｍＩｎｆｏｒｍａｔｉｏｎＢｌｏｃｋＴｙｐｅ２がａｃ−ＢａｒｒｉｎｇＦｏｒＣＳＦＢを含まず、ＵＥがＣＳフォールバックをサポートする）、
６＞  タイマーＴ３０６が稼働していない場合、Ｔ３０３のタイマー値でＴ３０６を開始する。
６＞  中断指示を伴って、ＲＲＣ接続を確立することに失敗したことまたはＲＲＣ接続を再開することに失敗したことについて、ならびにモバイル発信呼およびモバイル発信ＣＳフォールバックのためのアクセス規制が適用可能であることを、上位レイヤに知らせ、そのとき、プロシージャは終了する。
１＞  ＵＥがＲＲＣ接続を再開している場合、
２＞  ５．３．１０．３ａに従って、設定された場合、（１つまたは複数の）ＭＣＧ  ＳＣｅｌｌを解放する。
２＞  設定された場合、ｐｏｗｅｒＰｒｅｆＩｎｄｉｃａｔｉｏｎＣｏｎｆｉｇを解放し、稼働している場合、タイマーＴ３４０を停止する。
２＞  ｒｅｐｏｒｔＰｒｏｘｉｍｉｔｙＣｏｎｆｉｇを解放し、関連する近接度ステータス報告タイマーをクリアする。
２＞  設定された場合、ｏｂｔａｉｎＬｏｃａｔｉｏｎＣｏｎｆｉｇを解放する。
２＞  設定された場合、ｉｄｃ−Ｃｏｎｆｉｇを解放する。
２＞  設定された場合、ｍｅａｓＳｕｂｆｒａｍｅＰａｔｔｅｒｎＰＣｅｌｌを解放する。
２＞  （ｄｒｂ−ＴｏＡｄｄＭｏｄＬｉｓｔＳＣＧによって設定されたような）ＤＲＢ設定を除いて、設定された場合、ＳＣＧ設定全体を解放する。
２＞  設定された場合、ＰＣｅｌｌのためのｎａｉｃｓ−Ｉｎｆｏを解放する。
２＞  ５．６．１４．３に記載されているように、設定された場合、ＬＷＡ設定を解放する。
２＞  ５．６．１７．３に記載されているように、設定された場合、ＬＷＩＰ設定を解放する。
２＞  設定された場合、ｂｗ−ＰｒｅｆｅｒｅｎｃｅＩｎｄｉｃａｔｉｏｎＴｉｍｅｒを解放し、稼働している場合、タイマーＴ３４１を停止する。
２＞  設定された場合、ｄｅｌａｙＢｕｄｇｅｔＲｅｐｏｒｔｉｎｇＣｏｎｆｉｇを解放し、稼働している場合、タイマーＴ３４２を停止する。
１＞  ９．２．４において指定されているようなデフォルト物理チャネル設定を適用する。
１＞  ９．２．３において指定されているようなデフォルト半永続的スケジューリング設定を適用する。
１＞  ９．２．２において指定されているようなデフォルトＭＡＣメイン設定を適用する。
１＞  ９．１．１．２において指定されているようなＣＣＣＨ設定を適用する。
１＞  ＳｙｓｔｅｍＩｎｆｏｒｍａｔｉｏｎＢｌｏｃｋＴｙｐｅ２中に含まれるｔｉｍｅＡｌｉｇｎｍｅｎｔＴｉｍｅｒＣｏｍｍｏｎを適用する。
１＞  タイマーＴ３００を開始する。
１＞  ＵＥがＲＲＣ接続を再開している場合、
２＞  ５．３．３．３ａに従ってＲＲＣＣｏｎｎｅｃｔｉｏｎＲｅｓｕｍｅＲｅｑｕｅｓｔメッセージの送信を始動する。
１＞  他の場合、
２＞  記憶されている場合、ＵＥ  ＡＳコンテキストおよびｒｅｓｕｍｅＩｄｅｎｔｉｔｙを廃棄する。
２＞  ５．３．３．３に従ってＲＲＣＣｏｎｎｅｃｔｉｏｎＲｅｑｕｅｓｔメッセージの送信を始動する。
注２：  接続確立プロシージャを始動したとき、ＵＥは、ＵＥが、ＲＲＣ＿ＩＤＬＥ状態にあるＵＥのためにのみ適用可能な最新のシステム情報を維持することを保証することを必要とされない。しかしながら、ＵＥは、セル再選択時にシステム情報収集を実施する必要がある。
【０００９】
一方、ＮＢ−ＩｏＴでは、プロシージャが始動すると、ＵＥは、３ＧＰＰ  ＴＳ３６．３３１に従って以下のアクションを実施するものとする。
１＞  ＵＥがモバイル発信例外データのためのＲＲＣ接続を確立または再開している場合、あるいは
１＞  ＵＥがモバイル発信データのためのＲＲＣ接続を確立または再開している場合、あるいは
１＞  ＵＥが遅延耐性アクセスのためのＲＲＣ接続を確立または再開している場合、あるいは
１＞  ＵＥがモバイル発信シグナリングのためのＲＲＣ接続を確立または再開している場合、
２＞  ５．３．３．１４において指定されているようなアクセス規制チェックを実施する。
２＞  セルへのアクセスが規制されている場合、
３＞  中断指示を伴って、ＲＲＣ接続を確立することに失敗したことまたはＲＲＣ接続を再開することに失敗したことについて、およびアクセス規制が適用可能であることを、上位レイヤに知らせ、そのとき、プロシージャは終了する。
１＞  ９．２．４において指定されているようなデフォルト物理チャネル設定を適用する。
１＞  ９．２．２において指定されているようなデフォルトＭＡＣメイン設定を適用する。
１＞  ９．１．１．２において指定されているようなＣＣＣＨ設定を適用する。
１＞  タイマーＴ３００を開始する。
１＞  ＵＥがＲＲＣ接続を確立している場合、
２＞  ５．３．３．３に従ってＲＲＣＣｏｎｎｅｃｔｉｏｎＲｅｑｕｅｓｔメッセージの送信を始動する。
１＞  そうではなく、ＵＥがＲＲＣ接続を再開している場合、
２＞  ５．３．３．３ａに従ってＲＲＣＣｏｎｎｅｃｔｉｏｎＲｅｓｕｍｅＲｅｑｕｅｓｔメッセージの送信を始動する。
注３：  接続確立または再開プロシージャを始動したとき、ＵＥは、ＵＥが、ＲＲＣ＿ＩＤＬＥ状態にあるＵＥのためにのみ適用可能な最新のシステム情報を維持することを保証することを必要とされない。しかしながら、ＵＥは、セル再選択時にシステム情報収集を実施する必要がある。
【００１０】
これより前に、Ｃ−ＲＮＴＩを割り当てるために下位レイヤシグナリングが使用される。３ＧＰＰ  ＴＳ３６．３２１［６］からの以下の抜粋は、追加のコンテキストを提供する。ＵＥがＲＲＣＣｏｎｎｅｃｔｉｏｎＳｅｔｕｐメッセージを受信したとき、ＵＥは、以下を行うものとする。
１＞  ＲＲＣＣｏｎｎｅｃｔｉｏｎＲｅｓｕｍｅＲｅｑｕｅｓｔに応答してＲＲＣＣｏｎｎｅｃｔｉｏｎＳｅｔｕｐが受信された場合、
２＞  記憶されたＵＥ  ＡＳコンテキストおよびｒｅｓｕｍｅＩｄｅｎｔｉｔｙを廃棄する。
２＞  ＲＲＣ接続再開がフォールバックされたことを上位レイヤに指示する。
１＞  受信されたｒａｄｉｏＲｅｓｏｕｒｃｅＣｏｎｆｉｇＤｅｄｉｃａｔｅｄに従って、および５．３．１０において指定されているように、無線リソース設定プロシージャを実施する。
１＞  記憶されている場合、ｉｄｌｅＭｏｄｅＭｏｂｉｌｉｔｙＣｏｎｔｒｏｌＩｎｆｏによって提供されたまたは別のＲＡＴから継承されたセル再選択優先度情報を廃棄する。
１＞  記憶されている場合、ｒｅｄｉｒｅｃｔｅｄＣａｒｒｉｅｒＯｆｆｓｅｔＤｅｄｉｃａｔｅｄによって提供された専用オフセットを廃棄する。
１＞  タイマーＴ３００を停止する。
１＞  稼働している場合、タイマーＴ３０２を停止する。
１＞  稼働している場合、タイマーＴ３０３を停止する。
１＞  稼働している場合、タイマーＴ３０５を停止する。
１＞  稼働している場合、タイマーＴ３０６を停止する。
１＞  稼働している場合、タイマーＴ３０８を停止する。
１＞  ５．３．３．７において指定されているようなアクションを実施する。
１＞  稼働している場合、タイマーＴ３２０を停止する。
１＞  稼働している場合、タイマーＴ３５０を停止する。
１＞  ５．６．１２．４において指定されているようなアクションを実施する。
１＞  ５．６．１６．２において指定されているように、設定された場合、ｒｃｌｗｉ−Ｃｏｎｆｉｇｕｒａｔｉｏｎを解放する。
１＞  稼働している場合、タイマーＴ３６０を停止する。
１＞  稼働している場合、タイマーＴ３２２を停止する。
１＞  ＲＲＣ＿ＣＯＮＮＥＣＴＥＤに入る。
１＞  セル再選択プロシージャを停止する。
１＞  現在のセルをＰＣｅｌｌであると見なす。
１＞  ＲＲＣＣｏｎｎｅｃｔｉｏｎＳｅｔｕｐＣｏｍｐｌｅｔｅメッセージのコンテンツを以下のようにセットする。
２＞  ＲＲＣＣｏｎｎｅｃｔｉｏｎＲｅｓｕｍｅＲｅｑｕｅｓｔに応答してＲＲＣＣｏｎｎｅｃｔｉｏｎＳｅｔｕｐが受信された場合、
３＞  上位レイヤがＳ−ＴＭＳＩを提供する場合、
４＞  ｓ−ＴＭＳＩを、上位レイヤから受信された値にセットする。
２＞  ｓｅｌｅｃｔｅｄＰＬＭＮ−Ｉｄｅｎｔｉｔｙを、ＳｙｓｔｅｍＩｎｆｏｒｍａｔｉｏｎＢｌｏｃｋＴｙｐｅ１（または、ＮＢ−ＩｏＴではＳｙｓｔｅｍＩｎｆｏｒｍａｔｉｏｎＢｌｏｃｋＴｙｐｅ１−ＮＢ）中のｐｌｍｎ−ＩｄｅｎｔｉｔｙＬｉｓｔ中に含まれる（１つまたは複数の）ＰＬＭＮから上位レイヤによって選択されたＰＬＭＮにセットする（ＴＳ２３．１２２［１１］、ＴＳ２４．３０１［３５］参照）。
２＞  上位レイヤが「登録されたＭＭＥ」を提供する場合、ｒｅｇｉｓｔｅｒｅｄＭＭＥを含め、以下のようにセットする。
３＞  「登録されたＭＭＥ」のＰＬＭＮ識別情報が、上位レイヤによって選択されたＰＬＭＮとは異なる場合、
４＞  ｒｅｇｉｓｔｅｒｅｄＭＭＥ中にｐｌｍｎＩｄｅｎｔｉｔｙを含め、ｐｌｍｎＩｄｅｎｔｉｔｙを、上位レイヤから受信された「登録されたＭＭＥ」中のＰＬＭＮ識別情報の値にセットする。
３＞  ｍｍｅｇｉおよびｍｍｅｃを、上位レイヤから受信された値にセットする。
２＞  上位レイヤが「登録されたＭＭＥ」を提供した場合、
３＞  ｇｕｍｍｅｉ−Ｔｙｐｅを含め、上位レイヤによって提供された値にセットする。
２＞  ＵＥが（１つまたは複数の）ＣＩｏＴ  ＥＰＳ最適化をサポートする場合、
３＞  上位レイヤから受信された場合、ａｔｔａｃｈＷｉｔｈｏｕｔＰＤＮ−Ｃｏｎｎｅｃｔｉｖｉｔｙを含める。
３＞  上位レイヤから受信された場合、ｕｐ−ＣＩｏＴ−ＥＰＳ−Ｏｐｔｉｍｉｓａｔｉｏｎを含める。
３＞  ＮＢ−ＩｏＴを除いて、上位レイヤから受信された場合、ｃｐ−ＣＩｏＴ−ＥＰＳ−Ｏｐｔｉｍｉｓａｔｉｏｎを含める。
２＞  ＲＮとして接続する場合、
３＞  ｒｎ−ＳｕｂｆｒａｍｅＣｏｎｆｉｇＲｅｑを含める。
２＞  ｄｅｄｉｃａｔｅｄＩｎｆｏＮＡＳを、上位レイヤから受信された情報を含めるようにセットする。
２＞  ＮＢ−ＩｏＴを除いて、
３＞  ＵＥが、ＶａｒＲＬＦ−Ｒｅｐｏｒｔ中で利用可能な無線リンク失敗またはハンドオーバ失敗情報を有する場合、およびＲＰＬＭＮが、ＶａｒＲＬＦ−Ｒｅｐｏｒｔに記憶されたｐｌｍｎ−ＩｄｅｎｔｉｔｙＬｉｓｔ中に含まれる場合、
４＞  ｒｌｆ−ＩｎｆｏＡｖａｉｌａｂｌｅを含める。
３＞  ＵＥが、Ｅ−ＵＴＲＡのために利用可能なＭＢＳＦＮのロギングされた測定を有する場合、およびＲＰＬＭＮが、ＶａｒＬｏｇＭｅａｓＲｅｐｏｒｔに記憶されたｐｌｍｎ−ＩｄｅｎｔｉｔｙＬｉｓｔ中に含まれる場合、
４＞  ｌｏｇＭｅａｓＡｖａｉｌａｂｌｅＭＢＳＦＮを含める。
３＞  そうではなく、ＵＥが、Ｅ−ＵＴＲＡのために利用可能なロギングされた測定を有する場合、およびＲＰＬＭＮが、ＶａｒＬｏｇＭｅａｓＲｅｐｏｒｔに記憶されたｐｌｍｎ−ＩｄｅｎｔｉｔｙＬｉｓｔ中に含まれる場合、
４＞  ｌｏｇＭｅａｓＡｖａｉｌａｂｌｅを含める。
３＞  ＵＥが、ＶａｒＣｏｎｎＥｓｔＦａｉｌＲｅｐｏｒｔ中で利用可能な接続確立失敗情報を有する場合、およびＲＰＬＭＮが、ＶａｒＣｏｎｎＥｓｔＦａｉｌＲｅｐｏｒｔに記憶されたｐｌｍｎ−Ｉｄｅｎｔｉｔｙに等しい場合、
４＞  ｃｏｎｎＥｓｔＦａｉｌＩｎｆｏＡｖａｉｌａｂｌｅを含める。
３＞  ｍｏｂｉｌｉｔｙＳｔａｔｅを含め、ｍｏｂｉｌｉｔｙＳｔａｔｅを、ＲＲＣ＿ＣＯＮＮＥＣＴＥＤ状態に入る直前のＵＥの（ＴＳ３６．３０４［４］において指定されているような）モビリティ状態にセットする。
３＞  ＵＥがモビリティ履歴情報の記憶をサポートし、ＵＥが、ＶａｒＭｏｂｉｌｉｔｙＨｉｓｔｏｒｙＲｅｐｏｒｔ中で利用可能なモビリティ履歴情報を有する場合、
４＞  ｍｏｂｉｌｉｔｙＨｉｓｔｏｒｙＡｖａｉｌを含める。
２＞  ＤＣＮ−ＩＤ値（ＴＳ２３．４０１［４１］参照）が上位レイヤから受信された場合、ｄｃｎ−ＩＤを含める。
２＞  ＵＥが、連続するアップリンク送信中にＵＬギャップを必要とする場合、
３＞  ｕｅ−ＣＥ−ＮｅｅｄＵＬＧａｐｓを含める。
２＞  送信のためにＲＲＣＣｏｎｎｅｃｔｉｏｎＳｅｔｕｐＣｏｍｐｌｅｔｅメッセージを下位レイヤにサブミットし、そのとき、プロシージャが終了する。
【００１１】
Ｃ−ＲＮＴＩを割り当てるために下位シグナリングが使用される上記のシナリオに続いて、ＵＥがＲＲＣＣｏｎｎｅｃｔｉｏｎＲｅｓｕｍｅメッセージを受信したとき、ＵＥは、以下を行うものとする。
１＞  タイマーＴ３００を停止する。
１＞  ＳＲＢ２およびすべてのＤＲＢについて、ＰＤＣＰ状態を回復し、ＰＤＣＰエンティティを再確立する。
１＞  ｄｒｂ−ＣｏｎｔｉｎｕｅＲＯＨＣが含まれる場合、
２＞  記憶されたＵＥ  ＡＳコンテキストが使用されることと、ｄｒｂ−ＣｏｎｔｉｎｕｅＲＯＨＣが設定されたこととを下位レイヤに指示する。
２＞  ヘッダ圧縮プロトコルで設定された、ＤＲＢのためのヘッダ圧縮プロトコルコンテキストを続ける。
１＞  他の場合、
２＞  記憶されたＵＥ  ＡＳコンテキストが使用されることを下位レイヤに指示する。
２＞  ヘッダ圧縮プロトコルで設定された、ＤＲＢのためのヘッダ圧縮プロトコルコンテキストをリセットする。
１＞  記憶されたＵＥ  ＡＳコンテキストおよびｒｅｓｕｍｅＩｄｅｎｔｉｔｙを廃棄する。
１＞  受信されたｒａｄｉｏＲｅｓｏｕｒｃｅＣｏｎｆｉｇＤｅｄｉｃａｔｅｄに従って、および５．３．１０において指定されているように、無線リソース設定プロシージャを実施する。
１＞  受信されたＲＲＣＣｏｎｎｅｃｔｉｏｎＲｅｓｕｍｅメッセージがｓｋ−Ｃｏｕｎｔｅｒを含む場合、
２＞  ＴＳ３８．３３１［８２、５．３．５．７］において指定されているようなキー更新プロシージャを実施する。
１＞  受信されたＲＲＣＣｏｎｎｅｃｔｉｏｎＲｅｓｕｍｅメッセージがｎｒ−ＲａｄｉｏＢｅａｒｅｒＣｏｎｆｉｇを含む場合、
２＞  ＴＳ３８．３３１［８２、５．３．５．５］において指定されているような無線ベアラ設定を実施する。
１＞  受信されたＲＲＣＣｏｎｎｅｃｔｉｏｎＲｅｓｕｍｅメッセージがｎｒ−ＲａｄｉｏＢｅａｒｅｒＣｏｎｆｉｇＳを含む場合、
２＞  ＴＳ３８．３３１［８２、５．３．５．５］において指定されているような無線ベアラ設定を実施する。
１＞  ＳＲＢ２およびすべてのＤＲＢを再開する。
１＞  記憶されている場合、ｉｄｌｅＭｏｄｅＭｏｂｉｌｉｔｙＣｏｎｔｒｏｌＩｎｆｏによって提供されたまたは別のＲＡＴから継承されたセル再選択優先度情報を廃棄する。
１＞  記憶されている場合、ｒｅｄｉｒｅｃｔｅｄＣａｒｒｉｅｒＯｆｆｓｅｔＤｅｄｉｃａｔｅｄによって提供された専用オフセットを廃棄する。
１＞  ＲＲＣＣｏｎｎｅｃｔｉｏｎＲｅｓｕｍｅメッセージがｍｅａｓＣｏｎｆｉｇを含む場合、
２＞  ５．５．２において指定されているような測定設定プロシージャを実施する。
１＞  稼働している場合、タイマーＴ３０２を停止する。
１＞  稼働している場合、タイマーＴ３０３を停止する。
１＞  稼働している場合、タイマーＴ３０５を停止する。
１＞  稼働している場合、タイマーＴ３０６を停止する。
１＞  稼働している場合、タイマーＴ３０８を停止する。
１＞  ５．３．３．７において指定されているようなアクションを実施する。
１＞  稼働している場合、タイマーＴ３２０を停止する。
１＞  稼働している場合、タイマーＴ３５０を停止する。
１＞  ５．６．１２．４において指定されているようなアクションを実施する。
１＞  稼働している場合、タイマーＴ３６０を停止する。
１＞  稼働している場合、タイマーＴ３２２を停止する。
１＞  ＴＳ３３．４０１［３２］において指定されているように、ＲＲＣＣｏｎｎｅｃｔｉｏｎＲｅｓｕｍｅメッセージ中で指示されるｎｅｘｔＨｏｐＣｈａｉｎｉｎｇＣｏｕｎｔ値を使用して、現在のＫｅＮＢが関連付けられたＫＡＳＭＥキーに基づいて、ＫｅＮＢキーを更新する。
１＞  ｎｅｘｔＨｏｐＣｈａｉｎｉｎｇＣｏｕｎｔ値を記憶する。
１＞  ＴＳ３３．４０１［３２］において指定されているように、前に設定された完全性アルゴリズムに関連付けられたＫＲＲＣｉｎｔキーを導出する。
１＞  前に設定されたアルゴリズムとＫＲＲＣｉｎｔキーとを使用して、ＲＲＣＣｏｎｎｅｃｔｉｏｎＲｅｓｕｍｅメッセージの完全性保護を検証するように下位レイヤに要求する。
１＞  ＲＲＣＣｏｎｎｅｃｔｉｏｎＲｅｓｕｍｅメッセージの完全性保護チェックが失敗した場合、
２＞  解放原因「その他」を伴って、５．３．１２において指定されているような、ＲＲＣ＿ＣＯＮＮＥＣＴＥＤを出るときのアクションを実施し、そのとき、プロシージャが終了する。
１＞  ＴＳ３３．４０１［３２］において指定されているように、前に設定されたサイファ化アルゴリズムに関連付けられたＫＲＲＣｅｎｃキーおよびＫＵＰｅｎｃキーを導出する。
１＞  直ちに、前に設定されたアルゴリズムとＫＲＲＣｉｎｔキーとを使用して完全性保護を再開するように下位レイヤを設定し、すなわち、完全性保護は、ＵＥによって受信および送出されるすべての後続のメッセージに適用されるものとする。
１＞  サイファ化を再開し、サイファ化アルゴリズムとＫＲＲＣｅｎｃキーとＫＵＰｅｎｃキーとを適用するように下位レイヤを設定し、すなわち、サイファ化設定は、ＵＥによって受信および送出されるすべての後続のメッセージに適用されるものとする。
１＞  ＲＲＣ＿ＣＯＮＮＥＣＴＥＤに入る。
１＞  中断されたＲＲＣ接続が再開されたことを上位レイヤに指示する。
１＞  セル再選択プロシージャを停止する。
１＞  現在のセルをＰＣｅｌｌであると見なす。
１＞  ＲＲＣＣｏｎｎｅｃｔｉｏｎＲｅｓｕｍｅＣｏｍｐｌｅｔｅメッセージのコンテンツを以下のようにセットする。
２＞  ｓｅｌｅｃｔｅｄＰＬＭＮ−Ｉｄｅｎｔｉｔｙを、ＳｙｓｔｅｍＩｎｆｏｒｍａｔｉｏｎＢｌｏｃｋＴｙｐｅ１中のｐｌｍｎ−ＩｄｅｎｔｉｔｙＬｉｓｔ中に含まれる（１つまたは複数の）ＰＬＭＮから上位レイヤによって選択されたＰＬＭＮにセットする（ＴＳ２３．１２２［１１］、ＴＳ２４．３０１［３５］参照）。
２＞  ｄｅｄｉｃａｔｅｄＩｎｆｏＮＡＳを、上位レイヤから受信された情報を含めるようにセットする。
２＞  ＮＢ−ＩｏＴを除いて、
３＞  ＵＥが、ＶａｒＲＬＦ−Ｒｅｐｏｒｔ中で利用可能な無線リンク失敗またはハンドオーバ失敗情報を有する場合、およびＲＰＬＭＮが、ＶａｒＲＬＦ−Ｒｅｐｏｒｔに記憶されたｐｌｍｎ−ＩｄｅｎｔｉｔｙＬｉｓｔ中に含まれる場合、
４＞  ｒｌｆ−ＩｎｆｏＡｖａｉｌａｂｌｅを含める。
３＞  ＵＥが、Ｅ−ＵＴＲＡのために利用可能なＭＢＳＦＮのロギングされた測定を有する場合、およびＲＰＬＭＮが、ＶａｒＬｏｇＭｅａｓＲｅｐｏｒｔに記憶されたｐｌｍｎ−ＩｄｅｎｔｉｔｙＬｉｓｔ中に含まれる場合、
４＞  ｌｏｇＭｅａｓＡｖａｉｌａｂｌｅＭＢＳＦＮを含める。
３＞  そうではなく、ＵＥが、Ｅ−ＵＴＲＡのために利用可能なロギングされた測定を有する場合、およびＲＰＬＭＮが、ＶａｒＬｏｇＭｅａｓＲｅｐｏｒｔに記憶されたｐｌｍｎ−ＩｄｅｎｔｉｔｙＬｉｓｔ中に含まれる場合、
４＞  ｌｏｇＭｅａｓＡｖａｉｌａｂｌｅを含める。
３＞  ＵＥが、ＶａｒＣｏｎｎＥｓｔＦａｉｌＲｅｐｏｒｔ中で利用可能な接続確立失敗情報を有する場合、およびＲＰＬＭＮが、ＶａｒＣｏｎｎＥｓｔＦａｉｌＲｅｐｏｒｔに記憶されたｐｌｍｎ−Ｉｄｅｎｔｉｔｙに等しい場合、
４＞  ｃｏｎｎＥｓｔＦａｉｌＩｎｆｏＡｖａｉｌａｂｌｅを含める。
３＞  ｍｏｂｉｌｉｔｙＳｔａｔｅを含め、ｍｏｂｉｌｉｔｙＳｔａｔｅを、ＲＲＣ＿ＣＯＮＮＥＣＴＥＤ状態に入る直前のＵＥの（ＴＳ３６．３０４［４］において指定されているような）モビリティ状態にセットする。
３＞  ＵＥがモビリティ履歴情報の記憶をサポートし、ＵＥが、ＶａｒＭｏｂｉｌｉｔｙＨｉｓｔｏｒｙＲｅｐｏｒｔ中で利用可能なモビリティ履歴情報を有する場合、
４＞  ｍｏｂｉｌｉｔｙＨｉｓｔｏｒｙＡｖａｉｌを含める。
１＞  送信のためにＲＲＣＣｏｎｎｅｃｔｉｏｎＲｅｓｕｍｅＣｏｍｐｌｅｔｅメッセージを下位レイヤにサブミットする。
１＞  プロシージャが終了する。
【００１２】
Ｔ３００満了時の再開プロシージャのとき、ＵＥは、以下を行うものとする。
１＞  タイマーＴ３００が満了した場合、
２＞  ＭＡＣをリセットし、ＭＡＣ設定を解放し、確立されたすべてのＲＢについてＲＬＣを再確立する。
２＞  ＵＥがＮＢ−ＩｏＴ  ＵＥである場合、
３＞  ｃｏｎｎＥｓｔＦａｉｌＯｆｆｓｅｔがＳｙｓｔｅｍＩｎｆｏｒｍａｔｉｏｎＢｌｏｃｋＴｙｐｅ２−ＮＢ中に含まれる場合、
４＞  ＴＳ３６．３０４［４］に従ってセル選択および再選択を実施するとき、当該のセルについてパラメータＱｏｆｆｓｅｔｔｅｍｐのためのｃｏｎｎＥｓｔＦａｉｌＯｆｆｓｅｔを使用する。
３＞  他の場合、
４＞  ＴＳ３６．３０４［４］に従ってセル選択および再選択を実施するとき、当該のセルについてパラメータＱｏｆｆｓｅｔｔｅｍｐのための無限大の値を使用する。
注０：  ＮＢ−ＩｏＴでは、ＵＥがｃｏｎｎＥｓｔＦａｉｌＯｆｆｓｅｔを適用する前に同じセル上でＴ３００満了を検出する回数と、ＵＥがセルの評価からオフセットを除去する前にｃｏｎｎＥｓｔＦａｉｌＯｆｆｓｅｔを適用する時間の量とは、ＵＥ実装形態次第である。
２＞  そうではなく、ＵＥがＲＲＣ接続確立失敗一時Ｑｏｆｆｓｅｔをサポートし、Ｔ３００が、ｔｘＦａｉｌＰａｒａｍｓがＳｙｓｔｅｍＩｎｆｏｒｍａｔｉｏｎＢｌｏｃｋＴｙｐｅ２中に含まれる同じセル上で連続ｃｏｎｎＥｓｔＦａｉｌＣｏｕｎｔ回満了した場合、
３＞  ｃｏｎｎＥｓｔＦａｉｌＯｆｆｓｅｔＶａｌｉｄｉｔｙによって指示される期間の間、
４＞  ＴＳ３６．３０４［４］およびＴＳ２５．３０４［４０］に従ってセル選択および再選択を実施するとき、当該のセルについてパラメータＱｏｆｆｓｅｔｔｅｍｐのためのｃｏｎｎＥｓｔＦａｉｌＯｆｆｓｅｔを使用する。
注１：  セル選択を実施するとき、好適なまたは許容できるセルを見つけることができない場合、当該のセルについてｃｏｎｎＥｓｔＦａｉｌＯｆｆｓｅｔＶａｌｉｄｉｔｙ中にパラメータＱｏｆｆｓｅｔｔｅｍｐのためのｃｏｎｎＥｓｔＦａｉｌＯｆｆｓｅｔを使用することを停止すべきかどうかは、ＵＥ実装形態次第である。
２＞  ＮＢ−ＩｏＴを除いて、以下の接続確立失敗情報を、そのフィールドを以下のようにセットすることによって、ＶａｒＣｏｎｎＥｓｔＦａｉｌＲｅｐｏｒｔに記憶する。
３＞  もしあれば、ＶａｒＣｏｎｎＥｓｔＦａｉｌＲｅｐｏｒｔ中に含まれる情報をクリアする。
３＞  ｐｌｍｎ−Ｉｄｅｎｔｉｔｙを、ＳｙｓｔｅｍＩｎｆｏｒｍａｔｉｏｎＢｌｏｃｋＴｙｐｅ１中のｐｌｍｎ−ＩｄｅｎｔｉｔｙＬｉｓｔ中に含まれる（１つまたは複数の）ＰＬＭＮから上位レイヤによって選択されたＰＬＭＮにセットする（ＴＳ２３．１２２［１１］、ＴＳ２４．３０１［３５］参照）。
３＞  ｆａｉｌｅｄＣｅｌｌＩｄを、接続確立失敗が検出されたセルのグローバルセル識別情報にセットする。
３＞  ｍｅａｓＲｅｓｕｌｔＦａｉｌｅｄＣｅｌｌを、接続確立失敗が検出されたセルの、利用可能な場合、ＲＳＲＰおよびＲＳＲＱを含めるように、およびＵＥが失敗を検出した瞬間までに集められた測定に基づいてセットする。
３＞  利用可能な場合、ｍｅａｓＲｅｓｕｌｔＮｅｉｇｈＣｅｌｌｓをセル再選択のために使用されるランキング基準の降順に、多くとも以下の数のネイバリングセル、すなわち、周波数ごとの６つの周波数内ネイバーおよび３つの周波数間ネイバー、ならびに、ＲＡＴごとの周波数／周波数のセット（ＧＥＲＡＮ）ごとの３つのＲＡＴ間ネイバーについてのネイバリングセル測定を含めるように、および以下に従ってセットする。
４＞  含まれる各ネイバーセルについて、利用可能である随意のフィールドを含める。
注２：  ＵＥは、セル再選択評価のために使用される利用可能な測定の最新の結果を含み、その測定は、ＴＳ３６．１３３［１６］において指定されているような性能要件に従って実施される。
３＞  詳細なロケーション情報が利用可能である場合、ｌｏｃａｔｉｏｎＩｎｆｏのコンテンツを以下のようにセットする。
４＞  ｌｏｃａｔｉｏｎＣｏｏｒｄｉｎａｔｅｓを含める。
４＞  利用可能な場合、ｈｏｒｉｚｏｎｔａｌＶｅｌｏｃｉｔｙを含める。
３＞  ｎｕｍｂｅｒＯｆＰｒｅａｍｂｌｅｓＳｅｎｔを、失敗したランダムアクセスプロシージャについてのＭＡＣによって送出されたプリアンブルの数を指示するようにセットする。
３＞  ｃｏｎｔｅｎｔｉｏｎＤｅｔｅｃｔｅｄを、失敗したランダムアクセスプロシージャについての送信されたプリアンブルのうちの少なくとも１つについてＴＳ３６．３２１［６］において指定されているように競合解消が成功しなかったかどうかを指示するようにセットする。
３＞  ｍａｘＴｘＰｏｗｅｒＲｅａｃｈｅｄを、最後に送信されたプリアンブルについて最大電力レベルが使用されたか否かを指示するようにセットする、ＴＳ３６．３２１［６］参照。
２＞  中断指示を伴って、ＲＲＣ接続を確立することに失敗したことまたはＲＲＣ接続を再開することに失敗したことについて上位レイヤに知らせ、そのとき、プロシージャは終了する。
【００１３】
ＵＥは、電源切断時にまたはデタッチ時に、接続確立失敗が検出されてから４８時間後に、接続確立失敗情報を廃棄し、すなわち、ＵＥ変数ＶａｒＣｏｎｎＥｓｔＦａｉｌＲｅｐｏｒｔを解放し得る。
【００１４】
現在、いくつかの課題が存在する。ＮＲでは、ＵＥが、ＲＲＣ接続を再開したとき、すなわち、ＲＲＣ＿ＩＮＡＣＴＩＶＥ状態からＲＲＣ＿ＣＯＮＮＥＣＴＥＤに遷移したとき、Ｔ３００と同様のタイマーを開始するべきであることが同意された。このタイマーが、ＵＥがＲＲＣ接続確立を実施しているときに、すなわち、ＲＲＣ＿ＩＤＬＥからＲＲＣ＿ＣＯＮＮＥＣＴＥＤに遷移しているときに使用されるのと同じタイマーであるかどうかは、同意されなかった。
【００１５】
加えて、以下の態様が、ＬＴＥ  ＲＲＣとは異なるＮＲ  ＲＲＣについて同意された。
【００１６】
第１に、ＮＲ  ＲＲＣでは、接続を再開することを試みているＵＥに応答してネットワークが送出し得る、接続を再開するための再開メッセージは、暗号化される。これは、対応するＲＲＣＣｏｎｎｅｃｔｉｏｎＲｅｓｕｍｅメッセージが暗号化されない現在のＬＴＥ仕様とは異なる。
【００１７】
第２に、図４は、ＮＲにおける再開プロシージャにおける例示的なＲＲＣＳｕｓｐｅｎｄメッセージを示す。ＮＲ  ＲＲＣでは、ネットワークは、ＲＲＣ＿ＩＮＡＣＴＩＶＥ状態に戻るようにＵＥに直ちに命令する中断メッセージで、ＵＥからのＲｅｓｕｍｅＲｅｑｕｅｓｔに応答し得る。このメッセージも暗号化される。ＬＴＥでは、接続を再開することを試みているＵＥに中断メッセージを直接送出することは、可能でない。
【００１８】
最後に、図５は、ＮＲにおける再開プロシージャにおける例示的なＲＲＣＲｅｌｅａｓｅメッセージを示す。ＮＲ  ＲＲＣでは、ネットワークは、ＲＲＣ＿ＩＤＬＥ状態に戻るようにＵＥに直ちに命令する解放メッセージで、ＵＥからのＲｅｓｕｍｅＲｅｑｕｅｓｔに応答し得る。このメッセージも暗号化される。ＬＴＥでは、接続を再開することを試みているＵＥに解放メッセージを直接送出することは、可能でない。
【００１９】
上記の差異により、以下の問題点が、ＮＲ  ＲＲＣ再開のためのタイマーをハンドリングすることに伴って発生する。
【００２０】
第１に、上記のすべての事例において、ＵＥが応答して受信するメッセージは暗号化されるので、ＵＥがメッセージを復号することが可能でない場合、メッセージを読み取ることは可能でなく、したがって、この理由で、この事例では、タイマーを停止することは可能でない。この事例は、たとえば、ネットワークとＵＥとが同期外れを起こしている場合、たとえば、ネットワークとＵＥとが、ＵＥがどの状態にあるかについて一致しない場合、発生し得る。
【００２１】
第２に、ＵＥは、ＮＲにおいて、ＲｅｓｕｍｅＲｅｑｕｅｓｔに応答してより多くのメッセージを受信し得るので、ＬＴＥの場合のように、再開メッセージを受信したときにただタイマーを停止することは、ネットワークが再開メッセージで答えない場合にタイマーが稼働し続けるので、十分でない。
【００２２】
最後に、上記のどちらの事例においても、タイマーは、ＵＥが、解放されてＩＤＬＥになっているか、中断されてＩＮＡＣＴＩＶＥになっているか、または解読することができないメッセージを受信するためのＲＲＣ再開プロシージャを放棄したにもかかわらず、稼働し続ける。これは、ＵＥが、必要とされないときにこのタイマーの満了時にアクションをトリガすることを意味し、すなわち、タイマーの満了におけるアクションが、ＵＥが依然として、ＵＥがネットワーク応答を待っている状態にあるときにのみ実行されるべきであることを意味する。
【発明の概要】
【００２３】
既存のソリューションに関する上記の問題に対処するために、いくつかのイベント時に接続確立を停止するためのタイマーを使用することによって、接続確立における不要なアクションを回避するための方法、およびユーザ機器（ＵＥ）が開示される。本開示は、ＵＥが再開プロシージャの満了時に停止されることを可能にし、さらに、ＵＥが、再開プロシージャの満了後にネットワークからの応答を待ち続けるかまたは不要なアクションを実施するのを防ぐ。
【００２４】
本開示ではいくつかの実施形態が詳述される。方法の一実施形態によれば、ユーザ機器（ＵＥ）における接続確立のための方法は、接続確立を始動するためにネットワークノードに要求を送出することを含む。本方法は、加えて、ネットワークノードに要求を送出したとき、接続確立のためのタイマーを開始することであって、タイマーの満了がＵＥのための接続確立を停止する、タイマーを開始することを含む。本方法は、加えて、ＵＥが中断メッセージまたは解放メッセージを受信したとき、あるいはタイマーが稼働している間にＵＥがセル再選択プロシージャを実施したとき、接続確立を停止するためにタイマーを停止することをさらに含む。
【００２５】
一実施形態では、接続確立は、再開プロシージャ、セットアッププロシージャ、または早期データ送信であり得る。
【００２６】
一実施形態では、本方法は、ＵＥが解放メッセージを受信したとき、接続確立を停止するためにタイマーを停止した後に、時間期間の間、ＵＥが解放メッセージを受信した後に実行するべきである後続のアクションを遅延させることをさらに含む。別の実施形態では、本方法は、解放メッセージがモビリティ制御情報を含むとき、ＵＥにおいてセル情報を記憶することをさらに含む。また別の実施形態では、本方法は、解放メッセージがモビリティ制御情報を含まないとき、システム情報においてセル情報を適用することをさらに含む。
【００２７】
一実施形態では、本方法は、ＵＥが中断メッセージを受信したとき、接続確立を停止するためにタイマーを停止したことに応答して、時間期間の間、ＵＥが中断メッセージを受信した後に実行するべきである後続のアクションを遅延させることと、接続確立の中断を上位レイヤに指示することと、完全性保護を中断するように下位レイヤを設定することとをさらに含む。一実施形態では、時間期間は６０ｍｓである。
【００２８】
一実施形態では、本方法は、タイマーが稼働している間にＵＥがセル再選択を実施したとき、接続確立を停止するためにタイマーを停止した後に、ＭＡＣをリセットすることと、ＭＡＣ設定を解放することと、接続確立の失敗を上位レイヤに知らせることとをさらに含む。
【００２９】
ＵＥの一実施形態によれば、接続確立のためのＵＥは、少なくとも１つの処理回路要素と、処理回路要素によって実行されたとき、ユーザ機器に、接続確立を始動するためにネットワークノードに要求を送出することと、ネットワークノードに要求を送出したとき、接続確立のためのタイマーを開始することであって、タイマーの満了が接続確立を停止する、タイマーを開始することと、中断メッセージまたは解放メッセージを受信したとき、接続確立を停止するためにタイマーを停止することとを行わせる、プロセッサ実行可能命令を記憶する少なくとも１つのストレージとを備える。一実施形態では、ＵＥは、タイマーが稼働している間にセル再選択プロシージャを実施したとき、接続確立を停止するためにタイマーを停止し得る。
【００３０】
本開示のいくつかの態様およびそれらの実施形態は、これらまたは他の課題のソリューションを提供し得る。本明細書で開示される問題点のうちの１つまたは複数に対処する様々な実施形態が、本明細書で提案される。
【００３１】
いくつかの実施形態は、以下の技術的利点のうちの１つまたは複数を提供し得る。本開示で開示される方法は、ＵＥを停止するためのタイマーを使用することによって接続確立の満了時にＵＥを停止するためのセキュアな機構を提供し得る。本方法は、タイマーを、タイマーが稼働している間にＵＥがいくつかのアクションを実施しているとき、ＵＥを停止するようにセットし得る。本方法はまた、タイマーを、ＵＥがネットワークノードから返信メッセージを受信したとき、ＵＥを停止するようにセットし得る。このようにして、本方法は、ＵＥが、さらなるシグナリングが必要とされないとき、ネットワークにおいてさらなるシグナリングを生成するのを防ぎ得る。
【００３２】
特定の実施形態は、ＬＴＥとＮＲの両方において接続確立において使用され得る包括的なタイマーを与える。タイマーは、特定の実施形態では、満了した接続確立において実行されるべきでない不要なアクションを回避するために、いくつかのイベント時にＵＥを停止し得る。特定の実施形態は、さらに、適切なタイミングで接続確立においてＵＥを停止することによって、ＵＥバッテリーを保存し、ネットワークにおけるリソースの効率を改善する。特定の実施形態は、ＵＥがネットワークからの応答を待つ無限ループで身動きがとれないときにエラーメッセージが生じるのを防ぐ方法を含む。
【００３３】
以下の詳細な説明および図面に照らして、様々な他の特徴および利点が当業者に明らかになろう。いくつかの実施形態は、具陳された利点のいずれをも有しないか、いくつかを有するか、またはすべてを有し得る。
【００３４】
本明細書に組み込まれ、本明細書の一部をなす添付の図面は、本開示のいくつかの態様を示し、説明とともに本開示の原理について解説するように働く。
【図面の簡単な説明】
【００３５】
【図１】新無線（Ｎｅｗ  Ｒａｄｉｏ：ＮＲ）におけるユーザ機器の例示的な状態遷移を示す図である。
【図２】不良なダウンリンク無線条件によって引き起こされる例示的な再開プロシージャ失敗を示す図である。
【図３】不良なアップリンク無線条件によって引き起こされる例示的な再開プロシージャ失敗を示す図である。
【図４】ネットワークが解放メッセージで応答するときの例示的なＲＲＣ接続再開プロシージャを示す図である。
【図５】ネットワークが中断メッセージで応答するときの例示的なＲＲＣ接続再開プロシージャを示す図である。
【図６】いくつかの実施形態による、例示的な無線ネットワークを示す図である。
【図７】いくつかの実施形態による、例示的なユーザ機器を示す図である。
【図８】いくつかの実施形態による、例示的な仮想化環境を示す図である。
【図９】いくつかの実施形態による、中間ネットワークを介してホストコンピュータに接続された例示的な通信ネットワークを示す図である。
【図１０】いくつかの実施形態による、部分的無線接続上で基地局を介してユーザ機器と通信する例示的なホストコンピュータを示す図である。
【図１１】いくつかの実施形態による、ホストコンピュータと、基地局と、ユーザ機器とを含む通信システムにおいて実装される例示的な方法を示す図である。
【図１２】いくつかの実施形態による、ホストコンピュータと、基地局と、ユーザ機器とを含む通信システムにおいて実装される別の例示的な方法を示す図である。
【図１３】いくつかの実施形態による、ホストコンピュータと、基地局と、ユーザ機器とを含む通信システムにおいて実装される別のさらなる例示的な方法を示す図である。
【図１４】いくつかの実施形態による、ホストコンピュータと、基地局と、ユーザ機器とを含む通信システムにおいて実装されるまた別の例示的な方法を示す図である。
【図１５】いくつかの実施形態による、ユーザ機器における方法の流れ図である。
【図１６】いくつかの実施形態による、例示的なユーザ機器のブロック概略図である。
【発明を実施するための形態】
【００３６】
従来のタイマーは、ＬＴＥにおけるいくつかの不良なダウンリンク／アップリンク送信またはＮＲにおけるたいていのイベントの下で適用可能でないことがある。そのような場合、従来のタイマーは、ＵＥが別の状態に変更されていることがあるにもかかわらず、稼働し続ける。したがって、本開示の特定の実施形態は、ＵＥがネットワークからメッセージを受信したとき、タイマーが稼働している間にＵＥがいくつかのアクションを実施したとき、またはタイマーが満了したとき、再開プロシージャを停止するための失敗タイマーを提供するための方法を提案する。本開示の失敗タイマーは、失敗タイマーがタイムアウトしたとき、ＵＥが不要なプロシージャを実行するのを防ぐために導入される。
【００３７】
再開プロシージャにおいて失敗タイマーを利用することによって、ＵＥは、ＵＥが、セットアップメッセージ、拒否メッセージ、解放メッセージ、および中断メッセージなど、ネットワークからの有効なメッセージを受信したとき、停止され得、したがって、ＵＥは、再開プロシージャを待つことを停止し、さらなるシグナリングを生成することなしに、受信されたメッセージに基づいて、対応する状態に変化し得る。特定の実施形態では、失敗タイマーはまた、失敗タイマーが稼働している間に、ＵＥが、下位レイヤからの完全性チェック失敗の検出、セル再選択、または接続確立の中止など、いくつかのアクションを実施しているとき、ＵＥを停止し得る。このソリューションはまた、失敗タイマーが、限られた時間期間の下で再開プロシージャを停止することを可能にし、これは、ＵＥが、ネットワークが不良なダウンリンク／アップリンク送信によって損なわれているとき、ネットワークからの応答を待つのを防ぐ。
【００３８】
本明細書で開示される問題点のうちの１つまたは複数に対処する様々な実施形態が、本明細書で提案される。いくつかの実施形態は、以下の技術的利点のうちの１つまたは複数を提供し得る。たとえば、上記のシナリオによってトリガされるタイマーを使用することによって、ネットワークにおいてさらなるシグナリングを生成し、より多くのＵＥバッテリーを消費し、不要な干渉をもたらす、タイマーがタイムアウトしたときにＵＥが不要なプロシージャを実施することを回避することは、有益である。いくつかの実施形態は、これらの利点のいくつかを提供するか、いずれをも提供しないか、またはすべてを提供し得、他の技術的利点が、当業者に容易に明らかになる。
【００３９】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００４０】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになる。
【００４１】
いくつかの実施形態では、非限定的な用語「ＵＥ」が使用される。本明細書でのＵＥは、無線信号を介してネットワークノードまたは別のＵＥと通信することが可能な、任意のタイプの無線デバイスであり得る。ＵＥはまた、無線通信デバイス、ターゲットデバイス、デバイスツーデバイス（Ｄ２Ｄ）ＵＥ、マシン型ＵＥまたはマシンツーマシン通信（Ｍ２Ｍ）が可能なＵＥ、ＵＥを装備したセンサー、ｉＰＡＤ、タブレット、モバイル端末、スマートフォン、ラップトップ埋込み機器（ＬＥＥ）、ラップトップ搭載機器（ＬＭＥ）、ＵＳＢドングル、顧客構内機器（ＣＰＥ：Ｃｕｓｔｏｍｅｒ  Ｐｒｅｍｉｓｅｓ  Ｅｑｕｉｐｍｅｎｔ）などであり得る。
【００４２】
また、いくつかの実施形態では、一般用語「ネットワークノード」が使用される。ネットワークノードは、基地局、無線基地局、基地トランシーバ局、基地局コントローラ、ネットワークコントローラ、マルチ規格無線ＢＳ、ｇＮＢ、ＮＲ  ＢＳ、エボルブドノードＢ（ｅＮＢ）、ノードＢ、マルチセル／マルチキャスト協調エンティティ（ＭＣＥ）、リレーノード、アクセスポイント、無線アクセスポイント、リモートラジオユニット（ＲＲＵ）、リモート無線ヘッド（ＲＲＨ）、マルチ規格ＢＳ（別名ＭＳＲ  ＢＳ）、コアネットワークノード（たとえば、ＭＭＥ、ＳＯＮノード、協調ノード、測位ノード、ＭＤＴノードなど）などの無線ネットワークノード、さらには、外部ノード（たとえば、第三者ノード、現在のネットワークの外部のノード）などを含み得る、任意の種類のネットワークノードであり得る。ネットワークノードは、テスト機器をも備え得る。
【００４３】
本明細書で使用される「シグナリング」という用語は、（たとえば、無線リソース制御（ＲＲＣ）などを介した）高レイヤシグナリング、（たとえば、物理的制御チャネルまたはブロードキャストチャネルを介した）下位レイヤシグナリング、またはそれらの組合せのいずれかを含み得る。シグナリングは暗示的または明示的であり得る。シグナリングは、さらに、ユニキャスト、マルチキャストまたはブロードキャストであり得る。シグナリングはまた、別のノードに直接であるか、または第３のノードを介し得る。
【００４４】
特定の実施形態は、失敗タイマーＴを停止するための新しい機構を導入することに基づく。タイマーＴがＬＴＥにおいて停止される既存の事例に加えて、タイマーはまた、ＵＥが再開プロシージャを実施しているとき、すなわち、ＵＥがＲｅｓｕｍｅＲｅｑｕｅｓｔメッセージを送出したとき、後続のイベントにおいて停止される。たとえば、タイマーＴは、ＵＥが中断メッセージを受信したとき、ＵＥが解放メッセージを受信したとき、およびタイマーＴが稼働している間にＵＥが下位レイヤ（たとえばＰＤＣＰレイヤ）中で完全性保護検証エラーを検出したとき、停止する。
【００４５】
加えて、ＲＲＣ接続再確立のために使用されるタイマーＴ３００とは別個の失敗タイマーＴが導入される場合、タイマーＴも、ＵＥが再開プロシージャを実施しているとき、後続のイベントにおいて停止され得る。たとえば、タイマーＴは、ＵＥがＲＲＣＣｏｎｎｅｃｔｉｏｎＳｅｔｕｐメッセージを受信したとき、ＵＥがＲＲＣＲｅｊｅｃｔメッセージを受信したとき、およびタイマーＴが稼働している間にＵＥがセル再選択を実施したとき、停止する。上記で列挙されたイベントは網羅的でなく、タイマーＴが停止され得る他の状況が発生し得ることが諒解されよう。
【００４６】
本開示の特定の実施形態は、３８．３３１  ＮＲ  ＲＲＣ仕様において実装される。方法の第１の実施形態によれば、再開プロシージャは、ＲＲＣＲｅｓｕｍｅＲｅｑｕｅｓｔまたはＲＲＣＲｅｑｕｅｓｔが送信され、単一のタイマーＴ３００が再開プロシージャにおいて規定されたとき、トリガされる。ＵＥがＲＲＣＳｕｓｐｅｎｄメッセージを受信したとき、たとえば、５．３．１４．３において指定されているようにＵＥがＲＲＣＳｕｓｐｅｎｄを受信すると、ＵＥは、以下を行い得る。
１＞  このサブクローズにおいて規定されている後続のアクションを、ＲＲＣＳｕｓｐｅｎｄメッセージが受信された瞬間、または随意に、ＲＲＣＳｕｓｐｅｎｄメッセージの受信が正常に確認応答されたことを下位レイヤが指示したときの、どちらかより早いほうから、Ｘｍｓ遅延させる。
１＞  ＲＲＣＳｕｓｐｅｎｄメッセージがｉｄｌｅＭｏｄｅＭｏｂｉｌｉｔｙＣｏｎｔｒｏｌＩｎｆｏを含む場合、
２＞  ｉｄｌｅＭｏｄｅＭｏｂｉｌｉｔｙＣｏｎｔｒｏｌＩｎｆｏによって提供されたセル再選択優先度情報を記憶する。
２＞  ｔ３２０が含まれる場合、
３＞  ｔ３２０の値に従ってセットされたタイマー値で、タイマーＴ３２０を開始する。
１＞  他の場合、
２＞  システム情報中でブロードキャストされたセル再選択優先度情報を適用する。
１＞  ネットワークによって提供された以下の情報、すなわち、ｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅおよびｒａｎ−ＮｏｔｉｆｉｃａｔｉｏｎＡｒｅａＩｎｆｏを記憶する。
１＞  すべてのＳＲＢおよびＤＲＢについてＲＬＣエンティティを再確立する。
１＞  ＲＲＣＲｅｓｕｍｅＲｅｑｕｅｓｔに応答してＲＲＣＳｕｓｐｅｎｄメッセージが受信された場合を除いて、
２＞  現在のＲＲＣ設定と、現在のセキュリティコンテキストと、ＲＯＨＣ状態を含むＰＤＣＰ状態と、ソースＰＣｅｌｌにおいて使用されたＣ−ＲＮＴＩと、ソースＰＣｅｌｌのｃｅｌｌＩｄｅｎｔｉｔｙおよび物理セル識別情報とを含む、ＵＥ  ＡＳコンテキストを記憶する。
１＞  ＳＲＢ０を除いて、すべての（１つまたは複数の）ＳＲＢおよび（１つまたは複数の）ＤＲＢを中断する。
１＞  ｐｅｒｉｏｄｉｃ−ＲＮＡＵ−ｔｉｍｅｒにセットされたタイマー値で、タイマーＴ３８０を開始する。
１＞  ＲＲＣ接続の中断を上位レイヤに指示する。
１＞  完全性保護およびサイファ化を中断するように下位レイヤを設定する。
１＞  ＲＲＣ＿ＩＮＡＣＴＩＶＥに入り、ＴＳ３８．３０４［２１］において指定されているようなプロシージャを実施する。
【００４７】
いくつかの実施形態では、Ｘの値は設定可能であり得る。いくつかの実施形態では、Ｘの値は、ＬＴＥでは６０ｍｓであり得る。いくつかの実施形態では、ＵＥの上記の設定は、接続を確立するための、セットアッププロシージャ、または早期データ送信に適用され得る。
【００４８】
ＵＥがＲＲＣＲｅｌｅａｓｅメッセージを受信したとき、たとえば、５．３．８．３において指定されているようにＵＥがＲＲＣＲｅｌｅａｓｅを受信すると、ＵＥは、以下を行い得る。
１＞  記憶されたＵＥ  ＡＳコンテキストおよびＩ−ＲＮＴＩを廃棄する。
１＞  稼働している場合、タイマーＴ３００を停止する。
１＞  このサブクローズにおいて規定されている後続のアクションを、ＲＲＣＲｅｌｅａｓｅメッセージが受信された瞬間、または随意に、ＲＲＣＲｅｌｅａｓｅメッセージの受信が正常に確認応答されたことを下位レイヤが指示したときの、どちらかより早いほうから、Ｘｍｓ遅延させる。
１＞  ＲＲＣＲｅｌｅａｓｅメッセージがｉｄｌｅＭｏｄｅＭｏｂｉｌｉｔｙＣｏｎｔｒｏｌＩｎｆｏを含む場合、
２＞  ｉｄｌｅＭｏｄｅＭｏｂｉｌｉｔｙＣｏｎｔｒｏｌＩｎｆｏによって提供されたセル再選択優先度情報を記憶する。
２＞  ｔ３２０が含まれる場合、
３＞  ｔ３２０の値に従ってセットされたタイマー値で、タイマーＴ３２０を開始する。
１＞  他の場合、
２＞  システム情報中でブロードキャストされたセル再選択優先度情報を適用する。
１＞  ５．３．１１において指定されているような、ＲＲＣ＿ＩＤＬＥに進むときのアクションを実施する。
【００４９】
ある実施形態では、Ｘの値は設定可能であり得る。いくつかの実施形態では、Ｘの値は、ＬＴＥでは６０ｍｓであり得る。いくつかの実施形態では、ＲＲＣＲｅｌｅａｓｅプロシージャは、ｌｏａｄＢａｌａｎｃｉｎｇＴＡＵＲｅｑｕｉｒｅｄと等価である機構をサポートし得る。いくつかの実施形態では、ＲＲＣＲｅｌｅａｓｅプロシージャは、異なる解放原因によってトリガされ得、異なるアクションに関連付けられ得る。
【００５０】
再開プロシージャが、Ｔ３００満了時に、またはＴ３００が稼働している間の下位レイヤからの完全性チェック失敗時に、たとえば、５．３．１３．５において指定されているような、Ｔ３００満了時に、またはＴ３００が稼働している間の下位レイヤからの完全性チェック失敗時に、トリガされたとき、ＵＥは、以下を行い得る。
１＞  タイマーＴ３００が満了したか、またはＴ３００が稼働している間の下位レイヤからの完全性チェック失敗の場合、
２＞  稼働している場合、タイマーＴ３００を停止する。
２＞  記憶されたＵＥ  ＡＳコンテキストおよびｒｅｓｕｍｅＩｄｅｎｔｉｔｙを廃棄する。
２＞  ＭＡＣをリセットし、ＭＡＣ設定を解放し、確立されたすべてのＲＢについてＲＬＣを再確立する。
２＞  ＲＲＣ接続を再開することに失敗したことについて上位レイヤに知らせ、そのとき、プロシージャは終了する。
【００５１】
いくつかの実施形態では、Ｔ３１９はＴ３００と同じであり得る。いくつかの実施形態では、ＵＥの上記の設定は、接続を確立するための、セットアッププロシージャ、または早期データ送信に適用され得る。
【００５２】
以下の表１は、いくつかの実施形態による、７．１．１において指定されているように再開プロシージャにおいて実装される、本開示のタイマーＴ３００およびＴ３０２を示す。
2021519526.tif 000003
【００５３】
方法の第２の実施形態によれば、たとえば５．２．２では、ＲＲＣＲｅｑｕｅｓｔが送信されたとき、Ｔ３００がトリガされ、ＲＲＣＲｅｓｕｍｅＲｅｑｕｅｓｔが再開プロシージャにおいて送信されたとき、Ｔ３１９がトリガされる。第２の実施形態では、追加のステップは、Ｔ３００を開始すべきなのかＴ３１９を開始すべきなのかを選択することであり得る。また、ＬＴＥにおいて、ＵＥが、ＲＲＣＣｏｎｎｅｃｔｉｏｎＲｅｓｕｍｅＲｅｑｕｅｓｔまたはＲＲＣＣｏｎｎｅｃｔｉｏｎＲｅｑｕｅｓｔに応答してＲＲＣＲｅｊｅｃｔまたはＲＲＣＳｅｔｕｐを受信することが可能であり得る場合でも、２つのタイマーＴ３００およびＴ３１９が規定されることは、ＮＲのための完全に新しいプロシージャに加えて、本開示における各実施形態の潜在的変更を必要とする。したがって、本開示で示される特定の実施形態は、新しいＮＲプロシージャにより完全に新しい、５．２．１と等価ないくつかの部分を含む。いくつかの実施形態では、Ｔ３００またはＴ３１９は、接続を確立するための早期データ送信に適用され得る。
【００５４】
ＵＥがＲＲＣＳｕｓｐｅｎｄメッセージを受信したとき、たとえば、５．３．１４．３において指定されているようにＵＥがＲＲＣＳｕｓｐｅｎｄを受信すると、ＵＥは、以下を行い得る。
１＞  このサブクローズにおいて規定されている後続のアクションを、ＲＲＣＳｕｓｐｅｎｄメッセージが受信された瞬間、または随意に、ＲＲＣＳｕｓｐｅｎｄメッセージの受信が正常に確認応答されたことを下位レイヤが指示したときの、どちらかより早いほうから、Ｘｍｓ遅延させる。
１＞  稼働している場合、タイマーＴ３００またはＴ３１９を停止する。
１＞  ＲＲＣＳｕｓｐｅｎｄメッセージがｉｄｌｅＭｏｄｅＭｏｂｉｌｉｔｙＣｏｎｔｒｏｌＩｎｆｏを含む場合、
２＞  ｉｄｌｅＭｏｄｅＭｏｂｉｌｉｔｙＣｏｎｔｒｏｌＩｎｆｏによって提供されたセル再選択優先度情報を記憶する。
２＞  ｔ３２０が含まれる場合、
３＞  ｔ３２０の値に従ってセットされたタイマー値で、タイマーＴ３２０を開始する。
１＞  他の場合、
２＞  システム情報中でブロードキャストされたセル再選択優先度情報を適用する。
１＞  ネットワークによって提供された以下の情報、すなわち、ｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅおよびｒａｎ−ＮｏｔｉｆｉｃａｔｉｏｎＡｒｅａＩｎｆｏを記憶する。
１＞  すべてのＳＲＢおよびＤＲＢについてＲＬＣエンティティを再確立する。
１＞  ＲＲＣＲｅｓｕｍｅＲｅｑｕｅｓｔに応答してＲＲＣＳｕｓｐｅｎｄメッセージが受信された場合を除いて、
２＞  現在のＲＲＣ設定と、現在のセキュリティコンテキストと、ＲＯＨＣ状態を含むＰＤＣＰ状態と、ソースＰＣｅｌｌにおいて使用されたＣ−ＲＮＴＩと、ソースＰＣｅｌｌのｃｅｌｌＩｄｅｎｔｉｔｙおよび物理セル識別情報とを含む、ＵＥ  ＡＳコンテキストを記憶する。
１＞  ＳＲＢ０を除いて、すべての（１つまたは複数の）ＳＲＢおよび（１つまたは複数の）ＤＲＢを中断する。
１＞  ｐｅｒｉｏｄｉｃ−ＲＮＡＵ−ｔｉｍｅｒにセットされたタイマー値で、タイマーＴ３８０を開始する。
１＞  ＲＲＣ接続の中断を上位レイヤに指示する。
１＞  完全性保護およびサイファ化を中断するように下位レイヤを設定する。
１＞  ＲＲＣ＿ＩＮＡＣＴＩＶＥに入り、ＴＳ３８．３０４［２１］において指定されているようなプロシージャを実施する。
【００５５】
ある実施形態では、Ｘの値は設定可能であり得る。いくつかの実施形態では、Ｘの値は、ＬＴＥでは６０ｍｓであり得る。
【００５６】
ＵＥがＲＲＣＲｅｌｅａｓｅメッセージを受信したとき、たとえば、５．３．８．３において指定されているようにＵＥがＲＲＣＲｅｌｅａｓｅを受信すると、ＵＥは、以下を行い得る。
１＞  記憶されたＵＥ  ＡＳコンテキストおよびＩ−ＲＮＴＩを廃棄する。
１＞  稼働している場合、タイマーＴ３００またはＴ３１９を停止する。
１＞  このサブクローズにおいて規定されている後続のアクションを、ＲＲＣＲｅｌｅａｓｅメッセージが受信された瞬間、または随意に、ＲＲＣＲｅｌｅａｓｅメッセージの受信が正常に確認応答されたことを下位レイヤが指示したときの、どちらかより早いほうから、Ｘｍｓ遅延させる。
１＞  ＲＲＣＲｅｌｅａｓｅメッセージがｉｄｌｅＭｏｄｅＭｏｂｉｌｉｔｙＣｏｎｔｒｏｌＩｎｆｏを含む場合、
２＞  ｉｄｌｅＭｏｄｅＭｏｂｉｌｉｔｙＣｏｎｔｒｏｌＩｎｆｏによって提供されたセル再選択優先度情報を記憶する。
２＞  ｔ３２０が含まれる場合、
３＞  ｔ３２０の値に従ってセットされたタイマー値で、タイマーＴ３２０を開始する。
１＞  他の場合、
２＞  システム情報中でブロードキャストされたセル再選択優先度情報を適用する。
１＞  ５．３．１１において指定されているような、ＲＲＣ＿ＩＤＬＥに進むときのアクションを実施する。
【００５７】
ある実施形態では、Ｘの値は設定可能であり得る。いくつかの実施形態では、Ｘの値は、ＬＴＥでは６０ｍｓであり得る。いくつかの実施形態では、ＲＲＣＲｅｌｅａｓｅプロシージャは、ｌｏａｄＢａｌａｎｃｉｎｇＴＡＵＲｅｑｕｉｒｅｄと等価である機構をサポートし得る。いくつかの実施形態では、ＲＲＣＲｅｌｅａｓｅプロシージャは、異なる解放原因によってトリガされ得、異なるアクションに関連付けられ得る。
【００５８】
方法の第３の実施形態によれば、特定の実施形態は、既存のＬＴＥ応答と等価であるが、２つの異なるタイマーＴ３００およびＴ３１９が規定され得ることを考慮に入れる、ＮＲにおける部分の実装形態を示す。ＵＥがＲＲＣＳｅｔｕｐメッセージを受信したとき、たとえば、５．３．３．４において指定されているようにＵＥがＲＲＣＳｅｔｕｐを受信すると、ＵＥは、以下を行い得る。
１＞  ＲＲＣＲｅｓｕｍｅＲｅｑｕｅｓｔに応答してＲＲＣＳｅｔｕｐが受信された場合、
２＞  記憶されたＵＥ  ＡＳコンテキストおよびＩ−ＲＮＴＩを廃棄する。
２＞  ＲＲＣ接続再開がフォールバックされたことを上位レイヤに指示する。
１＞  受信されたｍａｓｔｅｒＣｅｌｌＧｒｏｕｐに従って、および５．３．５．５において指定されているように、セルグループ設定プロシージャを実施する。
１＞  受信されたｒａｄｉｏＢｅａｒｅｒＣｏｎｆｉｇに従って、および５．３．５．６において指定されているように、無線ベアラ設定プロシージャを実施する。
１＞  記憶されている場合、ｉｄｌｅＭｏｄｅＭｏｂｉｌｉｔｙＣｏｎｔｒｏｌＩｎｆｏによって提供されたまたは別のＲＡＴから継承されたセル再選択優先度情報を廃棄する。
１＞  稼働している場合、タイマーＴ３００またはＴ３１９を停止する。
１＞  稼働している場合、タイマーＴ３２０を停止する。
１＞  ＲＲＣ＿ＣＯＮＮＥＣＴＥＤに入る。
１＞  セル再選択プロシージャを停止する。
１＞  現在のセルをＰＣｅｌｌであると見なす。
１＞  ＲＲＣＳｅｔｕｐＣｏｍｐｌｅｔｅメッセージのコンテンツを以下のようにセットする。
２＞  ＲＲＣＲｅｓｕｍｅＲｅｑｕｅｓｔに応答してＲＲＣＣｏｎｎｅｃｔｉｏｎＳｅｔｕｐが受信された場合、
３＞  上位レイヤが５Ｇ−Ｓ−ＴＭＳＩを提供する場合、
４＞  ｎｇ−５Ｇ−Ｓ−ＴＭＳＩを、上位レイヤから受信された値にセットする。
２＞  ｓｅｌｅｃｔｅｄＰＬＭＮ−Ｉｄｅｎｔｉｔｙを、ＳｙｓｔｅｍＩｎｆｏｒｍａｔｉｏｎＢｌｏｃｋＴｙｐｅ１中のｐｌｍｎ−ＩｄｅｎｔｉｔｙＬｉｓｔ中に含まれる（１つまたは複数の）ＰＬＭＮから上位レイヤによって選択されたＰＬＭＮにセットする（ＴＳ２４．５０１［２３］）。
２＞  上位レイヤが「登録されたＡＭＦ」を提供する場合、
３＞  ｒｅｇｉｓｔｅｒｅｄＡＭＦを含め、以下のようにセットする。
４＞  「登録されたＡＭＦ」のＰＬＭＮ識別情報が、上位レイヤによって選択されたＰＬＭＮとは異なる場合、
５＞  ｒｅｇｉｓｔｅｒｅｄＡＭＦ中にｐｌｍｎＩｄｅｎｔｉｔｙを含め、ｐｌｍｎＩｄｅｎｔｉｔｙを、上位レイヤから受信された「登録されたＡＭＦ」中のＰＬＭＮ識別情報の値にセットする。
４＞  ａｍｆ−Ｒｅｇｉｏｎ、ａｍｆ−ＳｅｔＩｄ、ａｍｆ−Ｐｏｉｎｔｅｒを、上位レイヤから受信された値にセットする。
３＞  ｇｕａｍｉ−Ｔｙｐｅを含め、上位レイヤによって提供された値にセットする。
２＞  上位レイヤが１つまたは複数のＳ−ＮＳＳＡＩを提供する（ＴＳ２３．００３［２０］参照）場合、
３＞  ｓ−ｎｓｓａｉ−ｌｉｓｔを含め、コンテンツを上位レイヤによって提供された値にセットする。
２＞  ｄｅｄｉｃａｔｅｄＩｎｆｏＮＡＳを、上位レイヤから受信された情報を含めるようにセットする。
２＞  送信のためにＲＲＣＳｅｔｕｐＣｏｍｐｌｅｔｅメッセージを下位レイヤにサブミットし、そのとき、プロシージャが終了する。
【００５９】
いくつかの実施形態では、ｉｄｌｅＭｏｄｅＭｏｂｉｌｉｔｙＣｏｎｔｒｏｌＩｎｆｏも、ＲＲＣ＿ＩＮＡＣＴＩＶＥに入るＵＥのために適用され得る。この場合、情報エレメント（ＩＥ）の名前が変更され得る。いくつかの実施形態では、アクセス制御タイマーに関係するＵＥアクションが規定され得る。アクセス制御タイマーは、ＬＴＥにおけるＴ３０２、Ｔ３０３、Ｔ３０５、Ｔ３０６、Ｔ３０８と等価であり得る。たとえば、所与のタイマーが稼働していない場合、上位レイヤに知らせる。いくつかの実施形態では、ｇｕａｍｉ−Ｔｙｐｅは、含められ、上述の条件においてセットされることが、さらに決定され得る。
【００６０】
たとえば５．３．３．６において指定されているような、Ｔ３００またはＴ３１９満了時に、ＵＥは、以下を行い得る。
１＞  タイマーＴ３００またはＴ３００Ｘが満了した場合、
２＞  ＭＡＣをリセットし、ＭＡＣ設定を解放し、確立されたすべてのＲＢについてＲＬＣを再確立する。
２＞  ＲＲＣ接続を確立することに失敗したことについて上位レイヤに知らせ、そのとき、プロシージャは終了する。
【００６１】
ＵＥがＲＲＣＲｅｊｅｃｔメッセージを受信したとき、たとえば、５．３．１５において指定されているようにＵＥがＲＲＣＲｅｊｅｃｔを受信すると、ＵＥは、以下を行い得る。
１＞  タイマーＴ３００またはＴ３００Ｘを停止する。
１＞  ＭＡＣをリセットし、ＭＡＣ設定を解放する。
１＞  ｗａｉｔＴｉｍｅにセットされたタイマー値で、タイマーＴ３０２を開始する。
１＞  ＲＲＣ接続を確立することに失敗したことと、アクセス制御関係情報とについて上位レイヤに知らせ、そのとき、プロシージャは終了する。
【００６２】
いくつかの実施形態では、ＲＲＣＲｅｊｅｃｔは、リダイレクション情報および／または周波数／ＲＡＴ再優先度付け情報を含み得る。いくつかの実施形態では、あるアクセス制御関係情報が、より高いレイヤに知らされ得る。
【００６３】
たとえば５．３．１３．５において指定されているように、Ｔ３１９が満了しているか、またはＴ３１９が稼働している間にＵＥが下位レイヤから完全性チェック失敗を受信したとき、ＵＥは、以下を行い得る。
１＞  タイマーＴ３００Ｘが満了したか、またはＴ３００Ｘが稼働している間の下位レイヤからの完全性チェック失敗の場合、
２＞  稼働している場合、タイマーＴ３００Ｘを停止する。
２＞  記憶されたＵＥ  ＡＳコンテキストおよびｒｅｓｕｍｅＩｄｅｎｔｉｔｙを廃棄する。
２＞  ＭＡＣをリセットし、ＭＡＣ設定を解放し、確立されたすべてのＲＢについてＲＬＣを再確立する。
２＞  ＲＲＣ接続を再開することに失敗したことについて上位レイヤに知らせ、そのとき、プロシージャは終了する。
【００６４】
いくつかの実施形態では、Ｔ３１９はＴ３００と同じであり得る。
【００６５】
たとえば５．３．３．５において指定されているように再開プロシージャにおいて、Ｔ３００が稼働している間にＵＥがセル再選択を実施したとき、ＵＥは、以下を行い得る。
１＞  Ｔ３００が稼働している間にセル再選択が行われる場合、
２＞  タイマーＴ３００が稼働している場合、
３＞  タイマーＴ３００を停止する。
３＞  ＭＡＣをリセットし、ＭＡＣ設定を解放し、確立されたすべてのＲＢについてＲＬＣを再確立する。
３＞  ＲＲＣ接続を確立することに失敗したことまたはＲＲＣ接続を再開することに失敗したことについて上位レイヤに知らせる。
【００６６】
いくつかの実施形態では、セル再選択アクションは、ＬＴＥにおけるＴ３０２、Ｔ３０３、Ｔ３０５、Ｔ３０６およびＴ３０８と等価なアクセス制御タイマーなど、他のタイマーについて規定される必要があり得る。いくつかの実施形態では、ＵＥの上記の設定は、接続を確立するための、セットアッププロシージャ、または早期データ送信に適用され得る。
【００６７】
たとえば５．３．３．５において指定されているように再開プロシージャにおいて、Ｔ３００またはＴ３１９が稼働している間にＵＥがセル再選択を実施したとき、ＵＥは、以下を行い得る。
１＞  Ｔ３００またはＴ３００Ｘが稼働している間にセル再選択が行われる場合、
２＞  タイマーＴ３００が稼働している場合、
３＞  タイマーＴ３００を停止する。
３＞  ＭＡＣをリセットし、ＭＡＣ設定を解放し、確立されたすべてのＲＢについてＲＬＣを再確立する。
３＞  ＲＲＣ接続を確立することに失敗したことまたはＲＲＣ接続を再開することに失敗したことについて上位レイヤに知らせる。
２＞  そうではなく、タイマーＴ３００Ｘが稼働している場合、
３＞  タイマーＴ３００Ｘを停止する。
３＞  ＭＡＣをリセットし、ＭＡＣ設定を解放し、確立されたすべてのＲＢについてＲＬＣを再確立する。
３＞  ＲＲＣ接続を確立することに失敗したことまたはＲＲＣ接続を再開することに失敗したことについて上位レイヤに知らせる。
【００６８】
いくつかの実施形態では、セル再選択アクションは、ＬＴＥにおけるＴ３０２、Ｔ３０３、Ｔ３０５、Ｔ３０６およびＴ３０８と等価なアクセス制御タイマーなど、他のタイマーについて規定される必要があり得る。いくつかの実施形態では、ＵＥの上記の設定は、接続を確立するための、セットアッププロシージャ、または早期データ送信に適用され得る。
【００６９】
以下の表２は、いくつかの実施形態による、７．１．１において指定されているように再開プロシージャにおいて実装される、本開示のタイマーＴ３００、Ｔ３１９およびＴ３０２を示す。
2021519526.tif 000004
【００７０】
図６は、いくつかの実施形態による、例示的な無線ネットワークである。本明細書で説明される主題は、任意の好適な構成要素を使用する任意の適切なタイプのシステムにおいて実装され得るが、本明細書で開示される実施形態は、図６に示されている例示的な無線ネットワークなどの無線ネットワークに関して説明される。簡単のために、図６の無線ネットワークは、ネットワーク６０６、ネットワークノード６６０および６６０ｂ、ならびにＷＤ６１０、６１０ｂ、および６１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード６６０および無線デバイス（ＷＤ）６１０は、追加の詳細とともに図示される。いくつかの実施形態では、ネットワークノード６６０は、図９にさらに図示されている基地局であり得る。いくつかの実施形態では、無線デバイス６１０は、図７、図９〜図１４、および図１６にさらに示されている、ユーザ機器であり得る。無線デバイス６１０は、図１５に関して説明される方法を実施し得る。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００７１】
無線ネットワークは、任意のタイプの通信、電気通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００７２】
ネットワーク６０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００７３】
ネットワークノード６６０およびＷＤ６１０は、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００７４】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、およびエボルブドノードＢ（ｅＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００７５】
図６では、ネットワークノード６６０は、処理回路要素６７０と、デバイス可読媒体６８０と、インターフェース６９０と、補助機器６８４と、電源６８６と、電力回路要素６８７と、アンテナ６６２とを含む。図６の例示的な無線ネットワーク中に示されているネットワークノード６６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード６６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体６８０は、複数の別個のハードドライブならびに複数のＲＡＭモジュールを備え得る）。
【００７６】
同様に、ネットワークノード６６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード６６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード６６０は、複数の無線アクセス技術（ＲＡＴ）をサポートするように設定され得る。そのような実施形態では、いくつかの構成要素は複製され得（たとえば、異なるＲＡＴのための別個のデバイス可読媒体６８０）、いくつかの構成要素は再使用され得る（たとえば、同じアンテナ６６２がＲＡＴによって共有され得る）。ネットワークノード６６０は、ネットワークノード６６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード６６０内の他の構成要素に統合され得る。
【００７７】
処理回路要素６７０は、ネットワークノードによって提供されるものとして本明細書で説明される、任意の決定動作、計算動作、または同様の動作（たとえば、いくつかの取得動作）を実施するように設定される。処理回路要素６７０によって実施されるこれらの動作は、処理回路要素６７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００７８】
処理回路要素６７０は、単体で、またはデバイス可読媒体６８０などの他のネットワークノード６６０構成要素と併せてのいずれかで、ネットワークノード６６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素６７０は、デバイス可読媒体６８０に記憶された命令、または処理回路要素６７０内のメモリに記憶された命令を実行し得る。そのような機能性は、本明細書で説明される様々な無線特徴、機能、または利益のうちのいずれかを提供することを含み得る。いくつかの実施形態では、処理回路要素６７０は、システムオンチップ（ＳＯＣ）を含み得る。
【００７９】
いくつかの実施形態では、処理回路要素６７０は、無線周波数（ＲＦ）トランシーバ回路要素６７２とベースバンド処理回路要素６７４とのうちの１つまたは複数を含み得る。いくつかの実施形態では、無線周波数（ＲＦ）トランシーバ回路要素６７２とベースバンド処理回路要素６７４とは、別個のチップ（またはチップのセット）、ボード、または無線ユニットおよびデジタルユニットなどのユニット上にあり得る。代替実施形態では、ＲＦトランシーバ回路要素６７２とベースバンド処理回路要素６７４との一部または全部は、同じチップまたはチップのセット、ボード、あるいはユニット上にあり得る。
【００８０】
いくつかの実施形態では、ネットワークノード、基地局、ｅＮＢまたは他のそのようなネットワークデバイスによって提供されるものとして本明細書で説明される機能性の一部または全部は、デバイス可読媒体６８０、または処理回路要素６７０内のメモリに記憶された、命令を実行する処理回路要素６７０によって実施され得る。代替実施形態では、機能性の一部または全部は、ハードワイヤード様式などで、別個のまたは個別のデバイス可読媒体に記憶された命令を実行することなしに、処理回路要素６７０によって提供され得る。それらの実施形態のいずれでも、デバイス可読記憶媒体に記憶された命令を実行するか否かにかかわらず、処理回路要素６７０は、説明される機能性を実施するように設定され得る。そのような機能性によって提供される利益は、処理回路要素６７０単独に、またはネットワークノード６６０の他の構成要素に限定されないが、全体としてネットワークノード６６０によって、ならびに／または概してエンドユーザおよび無線ネットワークによって、享受される。
【００８１】
デバイス可読媒体６８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素６７０によって使用され得る情報、データ、および／または命令を記憶する、任意の他の揮発性または不揮発性、非一時的デバイス可読および／またはコンピュータ実行可能メモリデバイスを備え得る。デバイス可読媒体６８０は、コンピュータプログラム、ソフトウェア、論理、ルール、コード、表などのうちの１つまたは複数を含むアプリケーション、および／または処理回路要素６７０によって実行されることが可能であり、ネットワークノード６６０によって利用される、他の命令を含む、任意の好適な命令、データまたは情報を記憶し得る。デバイス可読媒体６８０は、処理回路要素６７０によって行われた計算および／またはインターフェース６９０を介して受信されたデータを記憶するために使用され得る。いくつかの実施形態では、処理回路要素６７０およびデバイス可読媒体６８０は、統合されていると見なされ得る。
【００８２】
インターフェース６９０は、ネットワークノード６６０、ネットワーク６０６、および／またはＷＤ６１０の間のシグナリングおよび／またはデータの有線または無線通信において使用される。示されているように、インターフェース６９０は、たとえば有線接続上でネットワーク６０６との間でデータを送出および受信するための（１つまたは複数の）ポート／（１つまたは複数の）端末６９４を備える。インターフェース６９０は、アンテナ６６２に結合されるか、またはいくつかの実施形態では、アンテナ６６２の一部であり得る、無線フロントエンド回路要素６９２をも含む。無線フロントエンド回路要素６９２は、フィルタ６９８と増幅器６９６とを備える。無線フロントエンド回路要素６９２は、アンテナ６６２および処理回路要素６７０に接続され得る。無線フロントエンド回路要素は、アンテナ６６２と処理回路要素６７０との間で通信される信号を調節するように設定され得る。無線フロントエンド回路要素６９２は、無線接続を介して他のネットワークノードまたはＷＤに送出されるべきであるデジタルデータを受信し得る。無線フロントエンド回路要素６９２は、デジタルデータを、フィルタ６９８および／または増幅器６９６の組合せを使用して適切なチャネルおよび帯域幅パラメータを有する無線信号に変換し得る。無線信号は、次いで、アンテナ６６２を介して送信され得る。同様に、データを受信するとき、アンテナ６６２は無線信号を集め得、次いで、無線信号は無線フロントエンド回路要素６９２によってデジタルデータに変換される。デジタルデータは、処理回路要素６７０に受け渡され得る。他の実施形態では、インターフェースは、異なる構成要素および／または構成要素の異なる組合せを備え得る。
【００８３】
いくつかの代替実施形態では、ネットワークノード６６０は別個の無線フロントエンド回路要素６９２を含まないことがあり、代わりに、処理回路要素６７０は、無線フロントエンド回路要素を備え得、別個の無線フロントエンド回路要素６９２なしでアンテナ６６２に接続され得る。同様に、いくつかの実施形態では、ＲＦトランシーバ回路要素６７２の全部または一部が、インターフェース６９０の一部と見なされ得る。さらに他の実施形態では、インターフェース６９０は、無線ユニット（図示せず）の一部として、１つまたは複数のポートまたは端末６９４と、無線フロントエンド回路要素６９２と、ＲＦトランシーバ回路要素６７２とを含み得、インターフェース６９０は、デジタルユニット（図示せず）の一部であるベースバンド処理回路要素６７４と通信し得る。
【００８４】
アンテナ６６２は、無線信号を送出および／または受信するように設定された、１つまたは複数のアンテナまたはアンテナアレイを含み得る。アンテナ６６２は、無線フロントエンド回路要素６９２に結合され得、データおよび／または信号を無線で送信および受信することが可能な任意のタイプのアンテナであり得る。いくつかの実施形態では、アンテナ６６２は、たとえば２ＧＨｚと６６ＧＨｚとの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ６６２は、ネットワークノード６６０とは別個であり得、インターフェースまたはポートを通してネットワークノード６６０に接続可能であり得る。
【００８５】
アンテナ６６２、インターフェース６９０、および／または処理回路要素６７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ６６２、インターフェース６９０、および／または処理回路要素６７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【００８６】
電力回路要素６８７は、電力管理回路要素を備えるか、または電力管理回路要素に結合され得、本明細書で説明される機能性を実施するための電力を、ネットワークノード６６０の構成要素に供給するように設定される。電力回路要素６８７は、電源６８６から電力を受信し得る。電源６８６および／または電力回路要素６８７は、それぞれの構成要素に好適な形式で（たとえば、各それぞれの構成要素のために必要とされる電圧および電流レベルにおいて）、ネットワークノード６６０の様々な構成要素に電力を提供するように設定され得る。電源６８６は、電力回路要素６８７および／またはネットワークノード６６０中に含まれるか、あるいは電力回路要素６８７および／またはネットワークノード６６０の外部にあるかのいずれかであり得る。たとえば、ネットワークノード６６０は、電気ケーブルなどの入力回路要素またはインターフェースを介して外部電源（たとえば、電気コンセント）に接続可能であり得、それにより、外部電源は電力回路要素６８７に電力を供給する。さらなる例として、電源６８６は、電力回路要素６８７に接続された、または電力回路要素６８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【００８７】
ネットワークノード６６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図６に示されている構成要素以外の追加の構成要素を含み得る。たとえば、ネットワークノード６６０は、ネットワークノード６６０への情報の入力を可能にするための、およびネットワークノード６６０からの情報の出力を可能にするための、ユーザインターフェース機器を含み得る。これは、ユーザが、ネットワークノード６６０のための診断、メンテナンス、修復、および他のアドミニストレーティブ機能を実施することを可能にし得る。
【００８８】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。いくつかの実施形態では、無線デバイス６１０は、図７および図９〜図１６にさらに図示されている、ユーザ機器であり得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ−ｐｒｅｍｉｓｅ  ｅｑｕｉｐｍｅｎｔ）、車載無線端末デバイスなどを含む。ＷＤは、たとえばサイドリンク通信のための３ＧＰＰ規格を実装することによって、デバイスツーデバイス（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシンツーマシン（Ｍ２Ｍ）デバイスであり得、Ｍ２Ｍデバイスは、３ＧＰＰコンテキストではマシン型通信（ＭＴＣ）デバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合、デバイスは無線端末と呼ばれることがある。さらに、上記で説明されたＷＤはモバイルであり得、その場合、デバイスはモバイルデバイスまたはモバイル���末と呼ばれることもある。
【００８９】
示されているように、無線デバイス６１０は、アンテナ６１１と、インターフェース６１４と、処理回路要素６２０と、デバイス可読媒体６３０と、ユーザインターフェース機器６３２と、補助機器６３４と、電源６３６と、電力回路要素６３７とを含む。ＷＤ６１０は、ＷＤ６１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ６１０内の他の構成要素と同じまたは異なるチップまたはチップのセットに統合され得る。
【００９０】
アンテナ６１１は、無線信号を送出および／または受信するように設定された、１つまたは複数のアンテナまたはアンテナアレイを含み得、インターフェース６１４に接続される。いくつかの代替実施形態では、アンテナ６１１は、ＷＤ６１０とは別個であり、インターフェースまたはポートを通してＷＤ６１０に接続可能であり得る。アンテナ６１１、インターフェース６１４、および／または処理回路要素６２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナ６１１は、インターフェースと見なされ得る。
【００９１】
示されているように、インターフェース６１４は、無線フロントエンド回路要素６１２とアンテナ６１１とを備える。無線フロントエンド回路要素６１２は、１つまたは複数のフィルタ６１８と増幅器６１６とを備える。無線フロントエンド回路要素６１２は、アンテナ６１１および処理回路要素６２０に接続され、アンテナ６１１と処理回路要素６２０との間で通信される信号を調節するように設定される。無線フロントエンド回路要素６１２は、アンテナ６１１に結合されるか、またはアンテナ６１１の一部であり得る。いくつかの実施形態では、ＷＤ６１０は別個の無線フロントエンド回路要素６１２を含まないことがあり、むしろ、処理回路要素６２０は、無線フロントエンド回路要素を備え得、アンテナ６１１に接続され得る。同様に、いくつかの実施形態では、ＲＦトランシーバ回路要素６２２の一部または全部が、インターフェース６１４の一部と見なされ得る。無線フロントエンド回路要素６１２は、無線接続を介して他のネットワークノードまたはＷＤに送出されるべきであるデジタルデータを受信し得る。無線フロントエンド回路要素６１２は、デジタルデータを、フィルタ６１８および／または増幅器６１６の組合せを使用して適切なチャネルおよび帯域幅パラメータを有する無線信号に変換し得る。無線信号は、次いで、アンテナ６１１を介して送信され得る。同様に、データを受信するとき、アンテナ６１１は無線信号を集め得、次いで、無線信号は無線フロントエンド回路要素６１２によってデジタルデータに変換される。デジタルデータは、処理回路要素６２０に受け渡され得る。他の実施形態では、インターフェースは、異なる構成要素および／または構成要素の異なる組合せを備え得る。
【００９２】
処理回路要素６２０は、単体で、またはデバイス可読媒体６３０などの他のＷＤ６１０構成要素と併せてのいずれかで、ＷＤ６１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素６２０は、本明細書で開示される機能性を提供するために、デバイス可読媒体６３０に記憶された命令、または処理回路要素６２０内のメモリに記憶された命令を実行し得る。
【００９３】
示されているように、処理回路要素６２０は、ＲＦトランシーバ回路要素６２２、ベースバンド処理回路要素６２４、およびアプリケーション処理回路要素６２６のうちの１つまたは複数を含む。他の実施形態では、処理回路要素は、異なる構成要素および／または構成要素の異なる組合せを備え得る。いくつかの実施形態では、ＷＤ６１０の処理回路要素６２０は、ＳＯＣを備え得る。いくつかの実施形態では、ＲＦトランシーバ回路要素６２２、ベースバンド処理回路要素６２４、およびアプリケーション処理回路要素６２６は、別個のチップまたはチップのセット上にあり得る。代替実施形態では、ベースバンド処理回路要素６２４およびアプリケーション処理回路要素６２６の一部または全部は１つのチップまたはチップのセットになるように組み合わせられ得、ＲＦトランシーバ回路要素６２２は別個のチップまたはチップのセット上にあり得る。さらに代替の実施形態では、ＲＦトランシーバ回路要素６２２およびベースバンド処理回路要素６２４の一部または全部は同じチップまたはチップのセット上にあり得、アプリケーション処理回路要素６２６は別個のチップまたはチップのセット上にあり得る。また他の代替実施形態では、ＲＦトランシーバ回路要素６２２、ベースバンド処理回路要素６２４、およびアプリケーション処理回路要素６２６の一部または全部は、同じチップまたはチップのセット中で組み合わせられ得る。いくつかの実施形態では、ＲＦトランシーバ回路要素６２２は、インターフェース６１４の一部であり得る。ＲＦトランシーバ回路要素６２２は、処理回路要素６２０のためのＲＦ信号を調節し得る。
【００９４】
いくつかの実施形態では、ＷＤによって実施されるものとして本明細書で説明される機能性の一部または全部は、デバイス可読媒体６３０に記憶された命令を実行する処理回路要素６２０によって提供され得、デバイス可読媒体６３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素６２０によって提供され得る。それらの特定の実施形態のいずれでも、デバイス可読記憶媒体に記憶された命令を実行するか否かにかかわらず、処理回路要素６２０は、説明される機能性を実施するように設定され得る。そのような機能性によって提供される利益は、処理回路要素６２０単独に、またはＷＤ６１０の他の構成要素に限定されないが、全体としてＷＤ６１０によって、ならびに／または概してエンドユーザおよび無線ネットワークによって、享受される。
【００９５】
処理回路要素６２０は、ＷＤによって実施されるものとして本明細書で説明される、任意の決定動作、計算動作、または同様の動作（たとえば、いくつかの取得動作）を実施するように設定され得る。処理回路要素６２０によって実施されるようなこれらの動作は、処理回路要素６２０によって取得された情報を、たとえば、取得された情報を他の情報に変換することによって、処理すること、取得された情報または変換された情報をＷＤ６１０によって記憶された情報と比較すること、ならびに／あるいは、取得された情報または変換された情報に基づいて、および前記処理が決定を行ったことの結果として、１つまたは複数の動作を実施することを含み得る。
【００９６】
デバイス可読媒体６３０は、コンピュータプログラム、ソフトウェア、論理、ルール、コード、表などのうちの１つまたは複数を含むアプリケーション、および／または処理回路要素６２０によって実行されることが可能な他の命令を記憶するように動作可能であり得る。デバイス可読媒体６３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素６２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素６２０およびデバイス可読媒体６３０は、統合されていると見なされ得る。
【００９７】
ユーザインターフェース機器６３２は、人間のユーザがＷＤ６１０と対話することを可能にする構成要素を提供し得る。そのような対話は、視覚、聴覚、触覚など、多くの形式のものであり得る。ユーザインターフェース機器６３２は、ユーザへの出力を作り出すように、およびユーザがＷＤ６１０への入力を提供することを可能にするように動作可能であり得る。対話のタイプは、ＷＤ６１０にインストールされるユーザインターフェース機器６３２のタイプに応じて変動し得る。たとえば、ＷＤ６１０がスマートフォンである場合、対話はタッチスクリーンを介したものであり得、ＷＤ６１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器６３２は、入力インターフェース、デバイスおよび回路、ならびに、出力インターフェース、デバイスおよび回路を含み得る。ユーザインターフェース機器６３２は、ＷＤ６１０への情報の入力を可能にするように設定され、処理回路要素６２０が入力情報を処理することを可能にするために、処理回路要素６２０に接続される。ユーザインターフェース機器６３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器６３２はまた、ＷＤ６１０からの情報の出力を可能にするように、および処理回路要素６２０がＷＤ６１０からの情報を出力することを可能にするように設定される。ユーザインターフェース機器６３２は、たとえば、スピーカー、ディスプレイ、振動回路要素、ＵＳＢポート、ヘッドフォンインターフェース、または他の出力回路要素を含み得る。ユーザインターフェース機器６３２の１つまたは複数の入力および出力インターフェース、デバイス、および回路を使用して、ＷＤ６１０は、エンドユーザおよび／または無線ネットワークと通信し、エンドユーザおよび／または無線ネットワークが本明細書で説明される機能性から利益を得ることを可能にし得る。
【００９８】
補助機器６３４は、概してＷＤによって実施されないことがある、より固有の機能性を提供するように動作可能である。これは、様々な目的のために測定を行うための特殊化されたセンサー、有線通信などのさらなるタイプの通信のためのインターフェースなどを備え得る。補助機器６３４の構成要素の包含およびタイプは、実施形態および／またはシナリオに応じて変動し得る。
【００９９】
電源６３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ６１０は、電源６３６から、本明細書で説明または指示される任意の機能性を行うために電源６３６からの電力を必要とする、ＷＤ６１０の様々な部分に電力を配信するための、電力回路要素６３７をさらに備え得る。電力回路要素６３７は、いくつかの実施形態では、電力管理回路要素を備え得る。電力回路要素６３７は、追加または代替として、外部電源から電力を受信するように動作可能であり得、その場合、ＷＤ６１０は、電力ケーブルなどの入力回路要素またはインターフェースを介して（電気コンセントなどの）外部電源に接続可能であり得る。電力回路要素６３７はまた、いくつかの実施形態では、外部電源から電源６３６に電力を配信するように動作可能であり得る。これは、たとえば、電源６３６の充電のためのものであり得る。電力回路要素６３７は、電源６３６からの電力に対して、その電力を、電力が供給されるＷＤ６１０のそれぞれの構成要素に好適であるようにするために、任意のフォーマッティング、変換、または他の修正を実施し得る。
【０１００】
図７は、本明細書で説明される様々な態様による、ＵＥの一実施形態を示す。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイス（たとえば、スマートスプリンクラーコントローラ）を表し得る。代替的に、ＵＥはまた、人間のユーザへの販売、または人間のユーザによる動作を意図されないＮＢ−ＩｏＴ  ＵＥを含む、第３世代パートナーシッププロジェクト（３ＧＰＰ）によって識別される任意のＵＥを備え得る。図７に示されているＵＥ７００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。いくつかの実施形態では、ユーザ機器７００は、図１６にさらに図示されている、ユーザ機器であり得る。前述のように、ＷＤおよびＵＥという用語は、互換的に使用され得る。したがって、図７はＵＥであるが、本明細書で説明される構成要素は、ＷＤに等しく適用可能であり、その逆も同様である。
【０１０１】
図７では、ＵＥ７００は、入出力インターフェース７０５、無線周波数（ＲＦ）インターフェース７０９、ネットワーク接続インターフェース７１１、ランダムアクセスメモリ（ＲＡＭ）７１７と読取り専用メモリ（ＲＯＭ）７１９と記憶媒体７２１などとを含むメモリ７１５、通信サブシステム７３１、電源７１３、および／または他の構成要素、あるいはそれらの任意の組合せに動作可能に結合された、処理回路要素７０１を含む。記憶媒体７２１は、オペレーティングシステム７２３と、アプリケーションプログラム７２５と、データ７２７とを含む。他の実施形態では、記憶媒体７２１は、他の同様のタイプの情報を含み得る。いくつかのＵＥは、図７に示されている構成要素のすべてを利用するか、またはそれらの構成要素のサブセットのみを利用し得る。構成要素間の統合のレベルは、ＵＥごとに変動し得る。さらに、いくつかのＵＥは、複数のプロセッサ、メモリ、トランシーバ、送信機、受信機など、構成要素の複数のインスタンスを含んでいることがある。
【０１０２】
図７では、処理回路要素７０１は、コンピュータ命令およびデータを処理するように設定され得る。処理回路要素７０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素７０１は、２つの中央処理ユニット（ＣＰＵ）を含み得る。データは、コンピュータによる使用に好適な形式での情報であり得る。
【０１０３】
図示された実施形態では、入出力インターフェース７０５は、入力デバイス、出力デバイス、または入出力デバイスに通信インターフェースを提供するように設定され得る。ＵＥ７００は、入出力インターフェース７０５を介して出力デバイスを使用するように設定され得る。出力デバイスは、入力デバイスと同じタイプのインターフェースポートを使用し得る。たとえば、ＵＥ７００への入力およびＵＥ７００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ７００は、ユーザがＵＥ７００に情報をキャプチャすることを可能にするために、入出力インターフェース７０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０１０４】
図７では、ＲＦインターフェース７０９は、送信機、受信機、およびアンテナなど、ＲＦ構成要素に通信インターフェースを提供するように設定され得る。ネットワーク接続インターフェース７１１は、ネットワーク７４３ａに通信インターフェースを提供するように設定され得る。ネットワーク７４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク７４３ａは、Ｗｉ−Ｆｉネットワークを備え得る。ネットワーク接続インターフェース７１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース７１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、あるいは、代替的に、別個に実装され得る。
【０１０５】
ＲＡＭ７１７は、オペレーティングシステム、アプリケーションプログラム、およびデバイスドライバなど、ソフトウェアプログラムの実行中に、データまたはコンピュータ命令の記憶またはキャッシングを提供するために、バス７０２を介して処理回路要素７０１にインターフェースするように設定され得る。ＲＯＭ７１９は、処理回路要素７０１にコンピュータ命令またはデータを提供するように設定され得る。たとえば、ＲＯＭ７１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体７２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体７２１は、オペレーティングシステム７２３と、ウェブブラウザアプリケーション、ウィジェットまたはガジェットエンジン、あるいは別のアプリケーションなどのアプリケーションプログラム７２５と、データファイル７２７とを含むように設定され得る。記憶媒体７２１は、ＵＥ７００による使用のために、多様な様々なオペレーティングシステムまたはオペレーティングシステムの組合せのうちのいずれかを記憶し得る。
【０１０６】
記憶媒体７２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、あるいはそれらの任意の組合せなど、いくつかの物理ドライブユニットを含むように設定され得る。記憶媒体７２１は、ＵＥ７００が、一時的または非一時的メモリ媒体に記憶されたコンピュータ実行可能命令、アプリケーションプログラムなどにアクセスすること、データをオフロードすること、あるいはデータをアップロードすることを可能にし得る。通信システムを利用する製造品などの製造品は、記憶媒体７２１中に有形に具現され得、記憶媒体７２１はデバイス可読媒体を備え得る。
【０１０７】
図７では、処理回路要素７０１は、通信サブシステム７３１を使用してネットワーク７４３ｂと通信するように設定され得る。ネットワーク７４３ａとネットワーク７４３ｂとは、同じ１つまたは複数のネットワークまたは異なる１つまたは複数のネットワークであり得る。通信サブシステム７３１は、ネットワーク７４３ｂと通信するために使用される１つまたは複数のトランシーバを含むように設定され得る。たとえば、通信サブシステム７３１は、ＩＥＥＥ８０２．７、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機７３３および／または受信機７３５を含み得る。さらに、各トランシーバの送信機７３３および受信機７３５は、回路構成要素、ソフトウェアまたはファームウェアを共有し得るか、あるいは、代替的に、別個に実装され得る。
【０１０８】
示されている実施形態では、通信サブシステム７３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム７３１は、セルラー通信と、Ｗｉ−Ｆｉ通信と、Ｂｌｕｅｔｏｏｔｈ通信と、ＧＰＳ通信とを含み得る。ネットワーク７４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク７４３ｂは、セルラーネットワーク、Ｗｉ−Ｆｉネットワーク、および／またはニアフィールドネットワークであり得る。電源７１３は、ＵＥ７００の構成要素に交流（ＡＣ）または直流（ＤＣ）電力を提供するように設定され得る。
【０１０９】
本明細書で説明される特徴、利益および／または機能は、ＵＥ７００の構成要素のうちの１つにおいて実装されるか、またはＵＥ７００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム７３１は、本明細書で説明される構成要素のうちのいずれかを含むように設定され得る。さらに、処理回路要素７０１は、バス７０２上でそのような構成要素のうちのいずれかと通信するように設定され得る。別の例では、そのような構成要素のうちのいずれかは、処理回路要素７０１によって実行されたとき、本明細書で説明される対応する機能を実施する、メモリに記憶されたプログラム命令によって表され得る。別の例では、そのような構成要素のうちのいずれかの機能性は、処理回路要素７０１と通信サブシステム７３１との間で分割され得る。別の例では、そのような構成要素のうちのいずれかの非計算集約的機能が、ソフトウェアまたはファームウェアで実装され得、計算集約的機能がハードウェアで実装され得る。
【０１１０】
図８は、いくつかの実施形態による、例示的な仮想化環境を示す。図８は、いくつかの実施形態によって実装される機能が仮想化され得る、仮想化環境８００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０１１１】
いくつかの実施形態では、本明細書で説明される機能の一部または全部は、ハードウェアノード８３０のうちの１つまたは複数によってホストされる１つまたは複数の仮想環境８００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１１２】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション８２０によって実装され得る。アプリケーション８２０は、処理回路要素８６０とメモリ８９０−１とを備えるハードウェア８３０を提供する、仮想化環境８００において稼働される。メモリ８９０−１は、処理回路要素８６０によって実行可能な命令８９５を含んでおり、それにより、アプリケーション８２０は、本明細書で開示される特徴、利益、および／または機能のうちの１つまたは複数を提供するように動作可能である。
【０１１３】
仮想化環境８００は、１つまたは複数のプロセッサのセットまたは処理回路要素８６０を備える、汎用または専用のネットワークハードウェアデバイス８３０を備え、１つまたは複数のプロセッサのセットまたは処理回路要素８６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ８９０−１を備え得、メモリ８９０−１は、処理回路要素８６０によって実行される命令８９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）８７０を備え得、ネットワークインターフェースコントローラ（ＮＩＣ）８７０は物理ネットワークインターフェース８８０を含む。各ハードウェアデバイスは、処理回路要素８６０によって実行可能なソフトウェア８９５および／または命令を記憶した、非一時的、永続的、機械可読記憶媒体８９０−２をも含み得る。ソフトウェア８９５は、１つまたは複数の（ハイパーバイザとも呼ばれる）仮想化レイヤ８５０をインスタンス化するためのソフトウェア、仮想マシン８４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１１４】
仮想マシン８４０は、仮想処理、仮想メモリ、仮想ネットワーキングまたはインターフェース、および仮想記憶域を備え、対応する仮想化レイヤ８５０またはハイパーバイザによって稼働され得る。仮想アプライアンス８２０の事例の異なる実施形態が、仮想マシン８４０のうちの１つまたは複数上で実装され得、実装は異なるやり方で行われ得る。
【０１１５】
動作中に、処理回路要素８６０は、ソフトウェア８９５を実行してハイパーバイザまたは仮想化レイヤ８５０をインスタンス化し、ハイパーバイザまたは仮想化レイヤ８５０は、時々、仮想マシンモニタ（ＶＭＭ）と呼ばれることがある。仮想化レイヤ８５０は、仮想マシン８４０に、ネットワーキングハードウェアのように見える仮想動作プラットフォームを提示し得る。
【０１１６】
図８に示されているように、ハードウェア８３０は、一般的なまたは特定の構成要素をもつスタンドアロンネットワークノードであり得る。ハードウェア８３０は、アンテナ８２２５を備え得、仮想化を介していくつかの機能を実装し得る。代替的に、ハードウェア８３０は、多くのハードウェアノードが協働し、特に、アプリケーション８２０のライフサイクル管理を監督する、管理およびオーケストレーション（ＭＡＮＯ）８１００を介して管理される、（たとえば、データセンターまたは顧客構内機器（ＣＰＥ）の場合のような）ハードウェアのより大きいクラスタの一部であり得る。
【０１１７】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【０１１８】
ＮＦＶのコンテキストでは、仮想マシン８４０は、プログラムを、それらのプログラムが、物理的な仮想化されていないマシン上で実行しているかのように稼働する、物理マシンのソフトウェア実装形態であり得る。仮想マシン８４０の各々と、その仮想マシンに専用のハードウェアであろうと、および／またはその仮想マシンによって仮想マシン８４０のうちの他の仮想マシンと共有されるハードウェアであろうと、その仮想マシンを実行するハードウェア８３０のその一部とは、別個の仮想ネットワークエレメント（ＶＮＥ）を形成する。
【０１１９】
さらにＮＦＶのコンテキストでは、仮想ネットワーク機能（ＶＮＦ）は、ハードウェアネットワーキングインフラストラクチャ８３０の上の１つまたは複数の仮想マシン８４０において稼働する固有のネットワーク機能をハンドリングすることを担当し、図８中のアプリケーション８２０に対応する。
【０１２０】
いくつかの実施形態では、各々、１つまたは複数の送信機８２２０と１つまたは複数の受信機８２１０とを含む、１つまたは複数の無線ユニット８２００は、１つまたは複数のアンテナ８２２５に結合され得る。無線ユニット８２００は、１つまたは複数の適切なネットワークインターフェースを介してハードウェアノード８３０と直接通信し得、無線アクセスノードまたは基地局など、無線能力をもつ仮想ノードを提供するために仮想構成要素と組み合わせて使用され得る。
【０１２１】
いくつかの実施形態では、何らかのシグナリングが、ハードウェアノード８３０と無線ユニット８２００との間の通信のために代替的に使用され得る制御システム８２３０を使用して、影響を及ぼされ得る。
【０１２２】
図９は、いくつかの実施形態による、中間ネットワークを介してホストコンピュータに接続された例示的な通信ネットワークを示す。図９を参照すると、一実施形態によれば、通信システムが、無線アクセスネットワークなどのアクセスネットワーク９１１とコアネットワーク９１４とを備える、３ＧＰＰタイプセルラーネットワークなどの通信ネットワーク９１０を含む。アクセスネットワーク９１１は、ＮＢ、ｅＮＢ、ｇＮＢまたは他のタイプの無線アクセスポイントなど、複数の基地局９１２ａ、９１２ｂ、９１２ｃを備え、各々が、対応するカバレッジエリア９１３ａ、９１３ｂ、９１３ｃを規定する。各基地局９１２ａ、９１２ｂ、９１２ｃは、有線接続または無線接続９１５上でコアネットワーク９１４に接続可能である。いくつかの実施形態では、基地局９１２ａ、９１２ｂ、９１２ｃは、本明細書で説明されるネットワークノードであり得る。カバレッジエリア９１３ｃ中に位置する第１のＵＥ９９１が、対応する基地局９１２ｃに無線で接続するか、または対応する基地局９１２ｃによってページングされるように設定される。カバレッジエリア９１３ａ中の第２のＵＥ９９２が、対応する基地局９１２ａに無線で接続可能である。この例では複数のＵＥ９９１、９９２が示されているが、開示される実施形態は、唯一のＵＥがカバレッジエリア中にある状況、または唯一のＵＥが対応する基地局９１２に接続している状況に等しく適用可能である。いくつかの実施形態では、複数のＵＥ９９１、９９２は、図１６に関して説明されるユーザ機器であり得る。
【０１２３】
通信ネットワーク９１０は、それ自体、ホストコンピュータ９３０に接続され、ホストコンピュータ９３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ９３０は、サービスプロバイダの所有または制御下にあり得、あるいはサービスプロバイダによってまたはサービスプロバイダに代わって動作され得る。通信ネットワーク９１０とホストコンピュータ９３０との間の接続９２１および９２２は、コアネットワーク９１４からホストコンピュータ９３０に直接延び得るか、または随意の中間ネットワーク９２０を介して進み得る。中間ネットワーク９２０は、パブリックネットワーク、プライベートネットワーク、またはホストされたネットワークのうちの１つ、またはそれらのうちの２つ以上の組合せであり得、中間ネットワーク９２０は、もしあれば、バックボーンネットワークまたはインターネットであり得、特に、中間ネットワーク９２０は、２つまたはそれ以上のサブネットワーク（図示せず）を備え得る。
【０１２４】
図９の通信システムは全体として、接続されたＵＥ９９１、９９２とホストコンピュータ９３０との間のコネクティビティを可能にする。コネクティビティは、オーバーザトップ（ＯＴＴ）接続９５０として説明され得る。ホストコンピュータ９３０および接続されたＵＥ９９１、９９２は、アクセスネットワーク９１１、コアネットワーク９１４、任意の中間ネットワーク９２０、および考えられるさらなるインフラストラクチャ（図示せず）を媒介として使用して、ＯＴＴ接続９５０を介して、データおよび／またはシグナリングを通信するように設定される。ＯＴＴ接続９５０は、ＯＴＴ接続９５０が通過する、参加する通信デバイスが、アップリンクおよびダウンリンク通信のルーティングに気づいていないという意味で、透過的であり得る。たとえば、基地局９１２は、接続されたＵＥ９９１にフォワーディング（たとえば、ハンドオーバ）されるべき、ホストコンピュータ９３０から発生したデータを伴う着信ダウンリンク通信の過去のルーティングについて、知らされないことがあるかまたは知らされる必要がない。同様に、基地局９１２は、ＵＥ９９１から発生してホストコンピュータ９３０に向かう発信アップリンク通信の将来ルーティングに気づいている必要がない。
【０１２５】
図１０は、いくつかの実施形態による、部分的無線接続上で基地局を介してユーザ機器と通信する例示的なホストコンピュータを示す。次に、一実施形態による、前の段落において説明されたＵＥ、基地局およびホストコンピュータの例示的な実装形態が、図１０を参照しながら説明される。通信システム１０００では、ホストコンピュータ１０１０が、通信システム１０００の異なる通信デバイスのインターフェースとの有線接続または無線接続をセットアップおよび維持するように設定された通信インターフェース１０１６を含む、ハードウェア１０１５を備える。ホストコンピュータ１０１０は、記憶能力および／または処理能力を有し得る、処理回路要素１０１８をさらに備える。特に、処理回路要素１０１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ１０１０は、ホストコンピュータ１０１０に記憶されるかまたはホストコンピュータ１０１０によってアクセス可能であり、処理回路要素１０１８によって実行可能である、ソフトウェア１０１１をさらに備える。ソフトウェア１０１１は、ホストアプリケーション１０１２を含む。ホストアプリケーション１０１２は、ＵＥ１０３０およびホストコンピュータ１０１０において終端するＯＴＴ接続１０５０を介して接続するＵＥ１０３０など、リモートユーザにサービスを提供するように動作可能であり得る。リモートユーザにサービスを提供する際に、ホストアプリケーション１０１２は、ＯＴＴ接続１０５０を使用して送信されるユーザデータを提供し得る。
【０１２６】
通信システム１０００は、通信システム中に提供される基地局１０２０をさらに含み、基地局１０２０は、基地局１０２０がホストコンピュータ１０１０およびＵＥ１０３０と通信することを可能にするハードウェア１０２５を備える。いくつかの実施形態では、基地局１０２０は、本明細書で説明されるネットワークノードであり得る。ハードウェア１０２５は、通信システム１０００の異なる通信デバイスのインターフェースとの有線接続または無線接続をセットアップおよび維持するための通信インターフェース１０２６、ならびに基地局１０２０によってサーブされるカバレッジエリア（図１０に図示せず）中に位置するＵＥ１０３０との少なくとも無線接続１０７０をセットアップおよび維持するための無線インターフェース１０２７を含み得る。通信インターフェース１０２６は、ホストコンピュータ１０１０への接続１０６０を容易にするように設定され得る。接続１０６０は直接であり得るか、あるいは、接続１０６０は、通信システムのコアネットワーク（図１０に図示せず）を、および／または通信システムの外部の１つまたは複数の中間ネットワークを通過し得る。図示の実施形態では、基地局１０２０のハードウェア１０２５は、処理回路要素１０２８をさらに含み、処理回路要素１０２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局１０２０は、内部的に記憶されるかまたは外部接続を介してアクセス可能なソフトウェア１０２１をさらに有する。
【０１２７】
通信システム１０００は、すでに言及されたＵＥ１０３０をさらに含む。いくつかの実施形態では、ＵＥ１０３０は、図１１〜図１３および図１６に関して説明されるユーザ機器であり得る。ＵＥ１０３０のハードウェア１０３５は、ＵＥ１０３０が現在位置するカバレッジエリアをサーブする基地局との無線接続１０７０をセットアップおよび維持するように設定された、無線インターフェース１０３７を含み得る。ＵＥ１０３０のハードウェア１０３５は、処理回路要素１０３８をさらに含み、処理回路要素１０３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ１０３０は、ＵＥ１０３０に記憶されるかまたはＵＥ１０３０によってアクセス可能であり、処理回路要素１０３８によって実行可能である、ソフトウェア１０３１をさらに備える。ソフトウェア１０３１はクライアントアプリケーション１０３２を含む。クライアントアプリケーション１０３２は、ホストコンピュータ１０１０のサポートのもとに、ＵＥ１０３０を介して人間のまたは人間でないユーザにサービスを提供するように動作可能であり得る。ホストコンピュータ１０１０では、実行しているホストアプリケーション１０１２は、ＵＥ１０３０およびホストコンピュータ１０１０において終端するＯＴＴ接続１０５０を介して、実行しているクライアントアプリケーション１０３２と通信し得る。ユーザにサービスを提供する際に、クライアントアプリケーション１０３２は、ホストアプリケーション１０１２から要求データを受信し、要求データに応答してユーザデータを提供し得る。ＯＴＴ接続１０５０は、要求データとユーザデータの両方を転送し得る。クライアントアプリケーション１０３２は、クライアントアプリケーション１０３２が提供するユーザデータを生成するためにユーザと対話し得る。
【０１２８】
図１０に示されているホストコンピュータ１０１０、基地局１０２０およびＵＥ１０３０は、それぞれ、図９のホストコンピュータ９３０、基地局９１２ａ、９１２ｂ、９１２ｃのうちの１つ、およびＵＥ９９１、９９２のうちの１つと同様または同等であり得ることに留意されたい。つまり、これらのエンティティの内部の働きは、図１０に示されているようなものであり得、別個に、周囲のネットワークトポロジーは、図９のものであり得る。
【０１２９】
図１０では、ＯＴＴ接続１０５０は、仲介デバイスとこれらのデバイスを介したメッセージの正確なルーティングとへの明示的言及なしに、基地局１０２０を介したホストコンピュータ１０１０とＵＥ１０３０との間の通信を示すために抽象的に描かれている。ネットワークインフラストラクチャが、ルーティングを決定し得、ネットワークインフラストラクチャは、ＵＥ１０３０からまたはホストコンピュータ１０１０を動作させるサービスプロバイダから、またはその両方からルーティングを隠すように設定され得る。ＯＴＴ接続１０５０がアクティブである間、ネットワークインフラストラクチャは、さらに、ネットワークインフラストラクチャが（たとえば、ネットワークの負荷分散考慮または再設定に基づいて）ルーティングを動的に変更する判断を行い得る。
【０１３０】
ＵＥ１０３０と基地局１０２０との間の無線接続１０７０は、本開示全体にわたって説明される実施形態の教示に従う。様々な実施形態のうちの１つまたは複数は、無線接続１０７０が最後のセグメントを形成するＯＴＴ接続１０５０を使用して、ＵＥ１０３０に提供されるＯＴＴサービスの性能を改善する。より正確には、これらの実施形態の教示は、データレート、レイテンシ、および電力消費を改善し、それにより、低減されたユーザ待ち時間、より良い応答性、より少ない干渉、および延長されたバッテリー寿命などの利益を提供し得る。
【０１３１】
１つまたは複数の実施形態が改善する、データレート、レイテンシおよび他のファクタを監視する目的での、測定プロシージャが提供され得る。測定結果の変動に応答して、ホストコンピュータ１０１０とＵＥ１０３０との間のＯＴＴ接続１０５０を再設定するための随意のネットワーク機能性がさらにあり得る。測定プロシージャおよび／またはＯＴＴ接続１０５０を再設定するためのネットワーク機能性は、ホストコンピュータ１０１０のソフトウェア１０１１およびハードウェア１０１５でまたはＵＥ１０３０のソフトウェア１０３１およびハードウェア１０３５で、またはその両方で実装され得る。実施形態では、ＯＴＴ接続１０５０が通過する通信デバイスにおいてまたはそれに関連して、センサー（図示せず）が展開され得、センサーは、上記で例示された監視された量の値を供給すること、またはソフトウェア１０１１、１０３１が監視された量を算出または推定し得る他の物理量の値を供給することによって、測定プロシージャに参加し得る。ＯＴＴ接続１０５０の再設定は、メッセージフォーマット、再送信セッティング、好ましいルーティングなどを含み得、再設定は、基地局１０２０に影響を及ぼす必要がなく、再設定は、基地局１０２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ１０１０の測定を容易にするプロプライエタリＵＥシグナリングを伴い得る。測定は、ソフトウェア１０１１および１０３１が、ソフトウェア１０１１および１０３１が伝搬時間、エラーなどを監視する間にＯＴＴ接続１０５０を使用して、メッセージ、特に空のまたは「ダミー」メッセージが送信されることを引き起こすことにおいて、実装され得る。
【０１３２】
図１１は、いくつかの実施形態による、ホストコンピュータと、基地局と、ユーザ機器とを含む通信システムにおいて実装される例示的な方法を示す。より詳細には、図１１は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１１への図面参照のみがこのセクションに含まれる。ステップ１１１０において、ホストコンピュータはユーザデータを提供する。ステップ１１１０の（随意であり得る）サブステップ１１１１において、ホストコンピュータは、ホストアプリケーションを実行することによって、ユーザデータを提供する。ステップ１１２０において、ホストコンピュータは、ＵＥにユーザデータを搬送する送信を始動する。（随意であり得る）ステップ１１３０において、基地局は、本開示全体にわたって説明される実施形態の教示に従って、ホストコンピュータが始動した送信において搬送されたユーザデータをＵＥに送信する。（また、随意であり得る）ステップ１１４０において、ＵＥは、ホストコンピュータによって実行されるホストアプリケーションに関連付けられたクライアントアプリケーションを実行する。
【０１３３】
図１２は、いくつかの実施形態による、ホストコンピュータと、基地局と、ユーザ機器とを含む通信システムにおいて実装される例示的な方法を示す。より詳細には、図１２は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１２への図面参照のみがこのセクションに含まれる。方法のステップ１２１０において、ホストコンピュータはユーザデータを提供する。随意のサブステップ（図示せず）において、ホストコンピュータは、ホストアプリケーションを実行することによって、ユーザデータを提供する。ステップ１２２０において、ホストコンピュータは、ＵＥにユーザデータを搬送する送信を始動する。送信は、本開示全体にわたって説明される実施形態の教示に従って、基地局を介して進み得る。（随意であり得る）ステップ１２３０において、ＵＥは、送信において搬送されたユーザデータを受信する。
【０１３４】
図１３は、いくつかの実施形態による、ホストコンピュータと、基地局と、ユーザ機器とを含む通信システムにおいて実装される別のさらなる例示的な方法を示す。より詳細には、図１３は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１３への図面参照のみがこのセクションに含まれる。（随意であり得る）ステップ１３１０において、ＵＥは、ホストコンピュータによって提供された入力データを受信する。追加または代替として、ステップ１３２０において、ＵＥはユーザデータを提供する。ステップ１３２０の（随意であり得る）サブステップ１３２１において、ＵＥは、クライアントアプリケーションを実行することによって、ユーザデータを提供する。ステップ１３１０の（随意であり得る）サブステップ１３１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ１３３０において、ホストコンピュータへのユーザデータの送信を始動する。方法のステップ１３４０において、ホストコンピュータは、本開示全体にわたって説明される実施形態の教示に従って、ＵＥから送信されたユーザデータを受信する。
【０１３５】
図１４は、いくつかの実施形態による、ホストコンピュータと、基地局と、ユーザ機器とを含む通信システムにおいて実装される別の例示的な方法を示す。より詳細には、図１４は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１４への図面参照のみがこのセクションに含まれる。（随意であり得る）ステップ１４１０において、本開示全体にわたって説明される実施形態の教示に従って、基地局は、ＵＥからユーザデータを受信する。（随意であり得る）ステップ１４２０において、基地局は、ホストコンピュータへの、受信されたユーザデータの送信を始動する。（随意であり得る）ステップ１４３０において、ホストコンピュータは、基地局によって始動された送信において搬送されたユーザデータを受信する。
【０１３６】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の電気通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１３７】
図１５は、いくつかの実施形態による、ユーザ機器において実施される方法の流れ図である。方法１５００は、ステップ１５１０において始まり、ＵＥが、接続確立を始動するためにネットワークノードに要求を送出する。いくつかの実施形態では、接続確立は、再開プロシージャ、セットアッププロシージャ、または早期データ送信であり得る。
【０１３８】
ステップ１５２０において、ＵＥは、接続確立のためのタイマーを開始する。いくつかの実施形態では、ＵＥは、ネットワークノードに要求を送出したとき、タイマーを開始し得る。いくつかの実施形態では、タイマーの満了が接続確立を停止し得る。
【０１３９】
ステップ１５３０において、ＵＥは、中断メッセージまたは解放メッセージを受信したとき、あるいはタイマーが稼働している間にセル再選択プロシージャを実施したとき、接続確立を停止するためにタイマーを停止する。いくつかの実施形態では、タイマーは、いくつかのイベント時に接続確立を停止するようにセットされ得る。
【０１４０】
いくつかの実施形態では、方法は、ＵＥが解放メッセージを受信して、タイマーを停止したことに応答して、時間期間の間、ＵＥが解放メッセージを受信した後に実行することになるアクションを遅延させることをさらに含み得る。ＵＥが、モビリティ制御情報を含む解放メッセージを受信したとき、ＵＥは、さらに、セル情報を記憶し得る。一方、ＵＥが、モビリティ制御情報をもたない解放メッセージを受信したとき、ＵＥは、さらに、システム情報においてセル情報を適用し得る。いくつかの実施形態では、方法は、ＵＥが中断メッセージを受信して、タイマーを停止した後に、接続確立の中断を上位レイヤに指示することと、完全性保護を中断するように下位レイヤを設定することとをさらに含み得る。いくつかの実施形態では、アクションは、６０ｍｓの間遅延され得る。
【０１４１】
いくつかの実施形態では、方法は、タイマーが稼働している間にＵＥがセル再選択プロシージャを実施して、タイマーを停止したことに応答して、ＭＡＣをリセットすることと、ＭＡＣ設定を解放することと、接続確立の失敗を上位レイヤに知らせることとをさらに含み得る。
【０１４２】
図１６は、いくつかの実施形態による、例示的なユーザ機器の概略ブロック図である。ユーザ機器１６００は、無線ネットワーク（たとえば、図６に示されている無線ネットワーク）において使用され得る。ユーザ機器１６００は、無線デバイスまたはネットワークノード（たとえば、図６に示されている無線デバイス６１０またはネットワークノード６６０）において実装され得る。ユーザ機器１６００は、図１５に関して説明された例示的な方法、および、場合によっては、本明細書で開示される任意の他のプロセスまたは方法を行うように動作可能である。また、図１５の方法は、必ずしもユーザ機器１６００のみによって行われるとは限らないことを理解されたい。その方法の少なくともいくつかの動作は、１つまたは複数の他のエンティティによって実施され得る。
【０１４３】
ユーザ機器１６００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを備え得る。いくつかの実施形態では、ユーザ機器１６００の処理回路要素は、図６に示されている処理回路要素６２０であり得る。いくつかの実施形態では、ユーザ機器１６００の処理回路要素は、図７に示されているプロセッサ７０１であり得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、図７に示されているメモリ７１５に記憶されたプログラムコードを実行するように設定され得る。メモリに記憶されたプログラムコードは、いくつかの実施形態では、１つまたは複数の電気通信および／またはデータ通信プロトコルを実行するためのプログラム命令、ならびに本明細書で説明される技法のうちの１つまたは複数を行うための命令を含む。いくつかの実装形態では、処理回路要素は、送出ユニット１６１０、開始ユニット１６２０および停止ユニット１６３０、ならびにユーザ機器１６００の任意の他の好適なユニットに、送信機および受信機など、本開示の１つまたは複数の実施形態による、対応する機能を実施させるために使用され得る。
【０１４４】
図１６に示されているように、ユーザ機器１６００は、送出ユニット１６１０と、開始ユニット１６２０と、停止ユニット１６３０とを含む。送出ユニット１６１０は、接続確立を始動するためにネットワークノードに要求を送出するように設定され得る。いくつかの実施形態では、接続確立は、再開プロシージャ、セットアッププロシージャ、または早期データ送信であり得る。
【０１４５】
開始ユニット１６２０は、接続確立のためのタイマーを開始するように設定され得る。いくつかの実施形態では、開始ユニット１６２０は、送出ユニット１６１０がネットワークノードに要求を送出したとき、タイマーを開始し得る。いくつかの実施形態では、タイマーの満了が接続確立を停止し得る。
【０１４６】
停止ユニット１６３０は、中断メッセージまたは解放メッセージを受信したとき、あるいはタイマーが稼働している間にセル再選択プロシージャを実施したとき、接続確立を停止するように設定され得る。いくつかの実施形態では、タイマーは、いくつかのイベント時に接続確立を停止するようにセットされ得る。
【０１４７】
いくつかの実施形態では、ＵＥ１６００は、さらに、解放メッセージを受信して、タイマーを停止したことに応答して、時間期間の間、ＵＥ１６００が解放メッセージを受信した後に実行することになるアクションを遅延させ得る。ＵＥ１６００が、モビリティ制御情報を含む解放メッセージを受信したとき、ＵＥ１６００は、さらに、セル情報を記憶し得る。一方、ＵＥ１６００が、モビリティ制御情報をもたない解放メッセージを受信したとき、ＵＥ１６００は、さらに、システム情報においてセル情報を適用し得る。いくつかの実施形態では、ＵＥ１６００は、さらに、中断メッセージを受信して、タイマーを停止した後に、接続確立の中断を上位レイヤに指示し、完全性保護を中断するように下位レイヤを設定し得る。いくつかの実施形態では、アクションは、６０ｍｓの間遅延され得る。
【０１４８】
いくつかの実施形態では、ＵＥ１６００は、さらに、タイマーが稼働している間にセル再選択プロシージャを実施して、タイマーを停止したことに応答して、ＭＡＣをリセットし、ＭＡＣ設定を解放し、接続確立の失敗を上位レイヤに知らせ得る。
【０１４９】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路要素、デバイス、モジュール、プロセッサ、受信機、送信機、メモリ、論理固体および／または個別デバイス、コンピュータプログラムまたは命令などを含み得る。
【０１５０】
様々な実施形態によれば、本明細書の特徴の利点は、ネットワークからの応答を待っているとき、発生するエラーからＵＥを保護するためのタイマーを提供することである。タイマーは、ＵＥが接続確立で身動きがとれなくなるのを防ぐために、いくつかのイベントまたは限られた時間期間の下で接続確立を停止し得る。別の利点は、タイマーが、接続確立の満了時にＵＥが不要なアクションを実施するのを停止し得ることであり、これは、さらに、ネットワークにおけるリソースの効率を改善し、ＵＥバッテリーの消費と潜在的干渉とを制限し得る。
【０１５１】
図におけるプロセスが本発明のいくつかの実施形態によって実施される動作の特定の順序を示し得るが、そのような順序は例示的である（たとえば、代替実施形態が、異なる順序で動作を実施する、いくつかの動作を組み合わせる、いくつかの動作を重ね合わせる、などを行い得る）ことを理解されたい。
【０１５２】
本発明はいくつかの実施形態に関して説明されたが、当業者は、本発明が、説明された実施形態に限定されず、添付の特許請求の範囲の趣旨および範囲内で修正および改変を加えて実施され得ることを認識されよう。したがって、説明は、限定ではなく、例示的と考えられるべきである。
【図１】
2021519526.tif 000005
【図２】
2021519526.tif 000006
【図３】
2021519526.tif 000007
【図４】
2021519526.tif 000008
【図５】
2021519526.tif 000009
【図６】
2021519526.tif 000010
【図７】
2021519526.tif 000011
【図８】
2021519526.tif 000012
【図９】
2021519526.tif 000013
【図１０】
2021519526.tif 000014
【図１１】
2021519526.tif 000015
【図１２】
2021519526.tif 000016
【図１３】
2021519526.tif 000017
【図１４】
2021519526.tif 000018
【図１５】
2021519526.tif 000019
【図１６】
2021519526.tif 000020
【国際調査報告】
2021519526.tif 000021
2021519526.tif 000022
2021519526.tif 000023